(57)【特許請求の範囲】
【請求項１】
観賞用メガネを装着した複数の観賞者に対して、同一の表示装置において異なる映像を表示する表示方法であって、
上記観賞用メガネは、上記表示装置に表示される映像を表示・非表示の状態に変更することが可能であり、かつ、当該観賞用メガネを通して複数の上記観賞者それぞれが観賞できる映像の種類を報知する報知手段を備え、
上記表示装置にて、上記観賞用メガネを通じて、複数の上記観賞者それぞれに対して、自身が装着する観賞用メガネが特定の映像観賞用であることを識別するための表示を行う表示ステップを含むことを特徴とする表示方法。
【請求項２】
コンピュータを請求項１に記載の上記表示ステップとして機能させるための表示プログラム。
【発明の詳細な説明】
【技術分野】
【０００１】
本発明は、表示装置の表示方法等に関する。
【背景技術】
【０００２】
近年、２Ｄ映像に加え、３Ｄ映像の観賞方法等に関する研究・開発が進められている。
【０００３】
例えば、特許文献１に記載の立体視方式では、左眼用二次元データと右眼用二次元データが同一ディスプレイ画面に時分割表示されるのに同期して、観察者が装着する開閉機能付きメガネの左右をシャッター動作させて立体感を出している。
【０００４】
また、特許文献２に記載のマルチ映像システムでは、複数の異なる種類の映像を同一画面上に表示し、これら映像のうち所定の種類の映像を各人が同一室内等で見ることができるようにしたシステムを提供している。
【０００５】
さらに、特許文献３に記載の映像表示装置は、１つの画面に大きさを損なわずに複数の映像を表示させ、複数の者が同時に別々の映像を見るようにした装置を提供している。
【先行技術文献】
【特許文献】
【０００６】
【特許文献１】特開昭６２−１７４７９３号公報（１９８７年７月３１日公開）
【特許文献２】特開平  ７−２２２０８７号公報（１９９５年８月１８日公開）
【特許文献３】特開平１０−２４０２１２号公報（１９９８年９月１１日公開）
【発明の概要】
【発明が解決しようとする課題】
【０００７】
しかしながら、上記各特許文献の技術には次のような問題が存在する。その問題を説明するために、一例として、複数の観賞者が観賞用メガネをそれぞれ装着し、各々が観賞したい映像を１つの表示装置で観賞する観賞方法を考える。
【０００８】
このとき、観賞したい映像と観賞したくない映像とが１つの表示装置に交互に表示されるときに、観賞者は、自身が装着した観賞用メガネが何れの映像に対応するものであるか知ることができない。そのため、ある観賞用メガネを装着した結果、自身が希望する映像を観賞できないこともある。また、自身がどの観賞用メガネを装着しているかを知ることができないと、特定の映像観賞用メガネを識別したうえで、その特定の映像観賞用メガネによって観賞可能な映像の設定を変更する、といった発展的な観賞方法を実現することができない。つまり、上記の観賞方法を実現する前提として、自身の装着する観賞用メガネを識別する識別結果を観賞者に正しく認識させる必要がある。
【０００９】
この点、上記各特許文献の技術は、何れも、自身の装着する観賞用メガネを識別する識別結果を観賞者に認識させることはできず、それゆえ、上記の発展的な観賞方法を実現するうえで、前提となる技術を提供するものでもない。
【００１０】
本願発明は、上記従来の問題点に鑑みなされたものであって、その目的は、表示装置に表示された映像を映像観賞用メガネにより観賞するときに、そのメガネを識別するための識別結果を表示装置に表示させることが可能な表示装置の表示方法等を提供することにある。
【課題を解決するための手段】
【００１１】
上記の課題を解決するために、本発明の一態様に係る表示方法は、観賞用メガネを装着した複数の観賞者に対して、同一の表示装置において異なる映像を表示する表示方法であって、上記観賞用メガネは、上記表示装置に表示される映像を表示・非表示の状態に変更することが可能であり、かつ、当該観賞用自メガネを通して複数の上記観賞者それぞれが観賞できる映像の種類を報知する報知手段を備え、上記表示装置にて、上記観賞用メガネを通じて、複数の上記観賞者それぞれに対して、自身が装着する観賞用メガネが特定の映像観賞用であることを識別するための表示を行う表示ステップを含む。
【発明の効果】
【００１２】
表示装置に表示された映像を映像観賞用メガネにより観賞するときに、その映像観賞用メガネを識別するための識別結果を表示装置に表示させることが可能な表示方法等を提供することができるという効果を奏する。
【図面の簡単な説明】
【００１３】
【図１】本発明に係る使用メガネ識別装置の概略構成を示すブロック図である。
【図２】本発明に係る映像観賞システムの概略的な構成を示す図である。
【図３】本発明に係る他の使用メガネ識別装置の概略構成を示すブロック図である。
【図４】同期制御部、及びシャッターメガネの動作を説明するための図であり、（ａ）は、映像Ａ及び映像Ｂが表示装置に表示されるタイミングを示す図であり、（ｂ）は、シャッターメガネ（４００Ａ）のシャッター動作を示す図であり、（ｃ）は、シャッターメガネ（４００Ｂ）のシャッター動作を示す図である。
【図５】複数の観賞者が識別結果を認識する様子を示す概念図である。
【図６】各観賞者の操作可能な操作部が１台（共通使用）のときの、複数の観賞者が識別結果を認識する様子を説明する図である。
【図７】観賞者ごとに操作部が存在するときの、複数の観賞者が識別結果を認識する様子を説明する図である。
【図８】本発明に係るさらに他の使用メガネ識別装置の概略構成を示すブロック図である。
【図９】観賞者が観賞する映像の設定を変更する例を説明するための図であって、（ａ）は、ユーザに設定変更の確認を要求する様子を示す図であり、（ｂ）は、変更可能な映像の設定内容を示す図である。
【図１０】観賞者が、観賞する映像の設定を変更する流れを説明するためのフローチャートである。
【図１１】観賞者が使用するリモコンを変更する例を説明するための図であって、（ａ）は、ユーザに設定変更の確認を要求する様子を示す図であり、（ｂ）は、観賞者が設定変更する対象を決定する様子を示す図であり、（ｃ）は、使用するリモコンがリモコンＡからリモコンＤへ変更されるときの様子を示す図であり、（ｄ）は、設定が変更されたことを観賞者に知らせる様子を示す図である。
【図１２】観賞者が、自身が使用するリモコンを、リモコンＡからリモコンＤへ変更する流れを説明するためのフローチャートである。
【図１３】映像Ａ〜映像Ｄが表示装置に表示されるタイミングとシャッターメガネ（４００Ａ）およびシャッターメガネ（４００Ｂ）の右目用シャッターあるいは左目用シャッターの開閉タイミングとが同期されていることを示すための図であり、（ａ）はプレーヤー切換前について、（ｂ）はプレーヤー切換後について、それぞれ説明するための図である。
【図１４】シャッターメガネのさらなる構成を説明するための概略図である。
【発明を実施するための形態】
【００１４】
以下、図面を参照しつつ、本発明に係る使用メガネ識別装置等について説明する。以下の説明では、同一の部品および構成要素には同一の符号を付してある。それらの名称および機能も同じである。したがって、それらについての詳細な説明は繰り返さない。
【００１５】
〔映像観賞システム１の概略構成〕
以下、本実施の形態に係る映像観賞システム１について図２を用いて説明する。図２は、映像観賞システム１の概略的な構成を示す図である。
【００１６】
映像観賞システム１は、記録再生装置５００によって再生され、表示装置１００において表示される映像をシャッターメガネ（映像観賞用メガネ）４００を装着する観賞者に観賞させるものであり、おもに、表示装置１００と、操作部３００と、シャッターメガネ４００と、記録再生装置５００と、中継器６００とを備える。
【００１７】
表示装置１００は、記録再生装置５００によって再生される映像を表示するものであり、例えば、ＬＣＤ（液晶ディスプレイ）、ＰＤＰ（プラズマディスプレイパネル）、またはＣＲＴ（cathode-ray tube）ディスプレイなどである。なお、表示装置１００は図示しない使用メガネ識別装置１０を内蔵しているものとする。
【００１８】
操作部３００は、観賞者が表示装置１００（または、表示装置１００に内蔵される使用メガネ識別装置１０）、及び記録再生装置５００を動作させるための指示信号を入力するものであり、例えば、表示装置１００を遠隔操作するリモコンや、表示装置１００自体に設けられた操作ボタン、あるいは、表示装置１００に接続された、マウスやキーボードなどで構成されてよい。操作部３００を用いて観賞者により入力された指示信号は、図示しない入出力制御部を介して、表示装置１００、および／または、記録再生装置５００の各部に送られる。これにより、観賞者は、表示装置１００、記録再生装置５００を操作することができる。
【００１９】
なお、同図では、操作部３００は１台のみ記載されている。しかしながら、使用メガネ識別装置１０、表示装置１００、記録再生装置５００に対してそれぞれ別々に備えられていてよい。
【００２０】
シャッターメガネ４００は、その一例として液晶シャッターが挙げられ、偏光板、液晶フィルタ、及び偏光板の三層構造を備え、液晶フィルタで２つの透過偏光光を切り替えることができるようになっている。より具体的には、シャッターメガネ４００は、光の通過及び遮断を制御するシャッター駆動信号により左右眼用のシャッターを開閉させ、そのシャッター駆動信号は、表示装置１００から出力される所望の映像信号のフィールド周波数に同期がとれており、かつ信号幅も映像信号に対応したものとなっている。したがって、このシャッター駆動信号によりシャッターを開閉することにより、観賞者は、複数の映像信号のうち、選択された「１つの映像信号に対応した映像」だけをシャッター開状態で見ることができ、かつ、それ以外の映像はシャッター閉状態で見えないため、所望の映像だけを観賞することができる。
【００２１】
なお、同図では、シャッターメガネ４００は、中継器６００を介して、表示装置１００とケーブルにより有線接続されている。しかしながら、シャッターメガネ４００は、中継器６００、および／または、表示装置１００と、無線接続されていてもよい。
【００２２】
また、同図では、中継器６００には４台のシャッターメガネ４００Ａ、４００Ｂ、４００Ｃ、４００Ｄが接続されている。しかしながら、シャッターメガネ４００の台数は４台に限定されず、単数、または４台以外の複数台であってよい。
【００２３】
記録再生装置５００は、ＢＤ（Ｂｌｕ−Ｒａｙ  Ｄｉｓｃ）あるいはＤＶＤ（Ｄｉｇｉｔａｌ Ｖｅｒｓａｔｉｌｅ Ｄｉｓｃ）、ＨＤＤ（Ｈａｒｄ  Ｄｉｓｃ  Ｄｒｉｖｅ）等の情報記録媒体に記録された映像情報を再生するものであり、公知の記録再生装置であってよい。
【００２４】
なお、同図では、記録再生装置５００によって再生された映像が表示装置１００に表示されるものとして説明している。しかしながら、ＩＰ（Internet Protocol）ネットワークを使ってリアルタイム放送や映画などのコンテンツを配信するサービスを利用して受信した映像データに対応する映像が表示装置１００に表示されてもよい。その一例として、決められた放送スケジュールにしたがって番組をリアルタイムに配信する放送タイプのサービスであるリニアＴＶ、または、受信側からの配信要求に応じて、該コンテンツ処理装置にユニキャストでコンテンツを配信するサービスであるＶｏＤ（Video on Demand）を利用して取得した映像データに対応する映像が表示装置１００に表示されてもよい。
【００２５】
さらに、表示装置１００に表示される映像は、２Ｄ表示用映像、及び右目用映像と左目用映像とからなる３Ｄ用映像の何れであってもよい。
【００２６】
中継器６００は、記録再生装置５００、シャッターメガネ４００、および表示装置１００を互いに接続するためのものである。なお、記録再生装置５００およびシャッターメガネ４００を表示装置１００に直接接続するときや、シャッターメガネ４００と表示装置１００とを無線接続にするときなどには、中継器６００は特に必要ではない。
【００２７】
〔使用メガネ識別装置１０の概略構成〕
次に、使用メガネ識別装置１０を図１により説明する。図１は、使用メガネ識別装置１０の概略構成を示すブロック図である。
【００２８】
使用メガネ識別装置１０は、観賞者が、表示装置１００に表示された映像をシャッターメガネ４００により観賞するときに、そのシャッターメガネ４００を識別するための識別情報に関連付けられた識別結果を表示装置１００に表示させるものである。
【００２９】
同図に示すように、使用メガネ識別装置１０は、制御部１１と、識別情報取得部（識別情報取得手段）１５と、メガネ使用情報取得部（使用情報取得手段）１６とを備える。
【００３０】
識別情報取得部１５は、シャッターメガネ４００から、それぞれのシャッターメガネ４００に固有の識別情報を取得して、その取得した識別情報を記憶部２００に記憶させる。ここで、識別情報とは、特定のシャッターメガネ４００を識別するための情報であって、例えば、識別情報は、識別番号、識別名称等で表現される。一例としては、シャッターメガネ４００Ａの識別情報は、「１」という識別番号、「シャッターメガネＡ」という識別名称で表され、シャッターメガネ４００Ｂの識別情報は、「２」という識別番号、「シャッターメガネＢ」という識別名称で表される。あるいは、識別情報は、シャッターメガネ４００それぞれに割り当てられたＩＰアドレス等のアドレス情報であってもよく、特定のシャッターメガネ４００を識別できるのであれば、その形態は限定されない。識別番号は、機器側でのシャッターメガネ４００の識別のために英数字などで表されてもよく、識別名称は、観賞者が識別しやすいように各国言語で表されてもよい。
【００３１】
識別情報取得部１５は、次のような方法により、シャッターメガネ４００から識別情報を取得する。
【００３２】
例えば、シャッターメガネ４００と表示装置１００（あるいは使用メガネ識別装置１０）とが無線接続あるいは有線接続され、双方向に通信可能であるときには、シャッターメガネ４００から自動的に識別情報が送信される。あるいは、表示装置１００（あるいは使用メガネ識別装置１０）からの通信要求を受けて、シャッターメガネ４００から応答送信される。また、シャッターメガネ４００と表示装置１００（あるいは使用メガネ識別装置１０）とが、シャッターメガネ４００から表示装置１００へ一方方向のみに通信可能に接続されているときには、シャッターメガネ４００から自動的に識別情報が送信される。あるいは、表示装置１００からシャッターメガネ４００への一方方向のみに通信可能に接続されているときには、操作部３００を介して、観賞者が識別情報を識別情報取得部１５に入力する。さらに、シャッターメガネ４００と表示装置１００（あるいは使用メガネ識別装置１０）とが通信可能に接続されていないときには、識別情報取得部１５は、操作部３００を介して観賞者から識別情報を取得する。
【００３３】
識別情報取得部１５は、以上のように、シャッターメガネ４００の識別情報を、シャッターメガネ４００から、あるいは観賞者を介して取得することができる。
【００３４】
ここで、図１では、記憶部２００は、使用メガネ識別装置１０の装置の外部であって、表示装置１００に内蔵されるものとして表されている。しかしながら、記憶部２００は、使用メガネ識別装置１０に内蔵されてもよく、あるいは、表示装置１００の外部に外付けされてもよい。
【００３５】
また、記憶部２００は、識別情報に加え、表示装置１００に表示するための映像に対応する映像データ、その映像に付随する音声に対応する音声データを記憶していてもよい。
【００３６】
さらに、記憶部２００は、たとえば表１に記載の識別情報−識別結果対応テーブルのように、識別情報と、その識別情報に関連付けられた識別結果とを記憶していてもよい。
【００３７】
【表１】
0005562452.tif 000002
【００３８】
なお、識別結果としては、他にも、「あなたはメガネＡを使用しています」、「この画面はメガネＡで観賞できます」、「この画面をユーザＡが観賞しています」などの表示であっても構わない。
【００３９】
メガネ使用情報取得部１６は、シャッターメガネ４００が使用状態にあるかどうかを示すメガネ使用情報を取得し、その旨を制御部１１に通知する。
【００４０】
メガネ使用情報取得部１６は、次のような方法によってメガネ使用情報を取得する。例えば、シャッターメガネ４００と表示装置１００（あるいは使用メガネ識別装置１０）とが無線接続あるいは有線接続され、双方向に通信可能であるときには、シャッターメガネ４００からメガネ使用情報取得部１６に対して、自動的にメガネ使用情報が送信される。あるいは、表示装置１００（あるいは使用メガネ識別装置１０）からの通信要求を受けて、シャッターメガネ４００から応答送信される。また、シャッターメガネ４００と表示装置１００（あるいは使用メガネ識別装置１０）とが、シャッターメガネ４００から表示装置１００へ一方方向のみに通信可能に接続されているときには、シャッターメガネ４００からメガネ使用情報取得部１６に対して、自動的にメガネ使用情報が送信される。あるいは、表示装置１００からシャッターメガネ４００への一方方向のみに通信可能に接続されているときには、操作部３００を介して、観賞者がメガネ使用情報をメガネ使用情報取得部１６に入力する。さらに、シャッターメガネ４００と表示装置１００（あるいは使用メガネ識別装置１０）とが通信可能に接続されていないときにも、メガネ使用情報取得部１６は、操作部３００を介して観賞者からメガネ使用情報を取得しうる。
【００４１】
なお、シャッターメガネ４００からメガネ使用情報取得部１６へのメガネ使用情報の自動送信は、例えば、シャッターメガネ４００のスイッチをＯＮにすることにより実行される設定にしておけばよい。あるいは、シャッターメガネ４００からメガネ使用情報取得部１６に対して、メガネ使用情報が常時送信される設定にしておいてもよい。また、上記のように、自動送信ではなく表示装置１００（あるいは使用メガネ識別装置１０）からの通信要求を受けて、シャッターメガネ４００から応答送信される方式でもよい。
【００４２】
制御部１１は、表示制御部（表示制御手段）１２を含む。表示制御部１２は、識別情報取得部１５が取得した識別情報に関連付けられた識別結果（表１参照）を記憶部２００から取得して、その識別結果を表示装置１００に表示させる。具体的には、メガネ使用情報取得部１６が取得した識別情報が「シャッターメガネＡ」であるときに、表示制御部１２は、その識別情報に関連付けられた「あなたはユーザＡです」という識別結果を記憶部２００から取得する。そして、表示制御部１２は、その識別結果「あなたはユーザＡです」を表示装置１００に表示させる。
【００４３】
〔使用メガネ識別装置２０の概略構成〕
次に、本実施形態に係る他の使用メガネ識別装置２０について図３を用いて説明する。図３は、使用メガネ識別装置２０の概略構成を示すブロック図である。
【００４４】
図３の映像観賞システム２では、２台のシャッターメガネ４００Ａ、４００Ｂが使用されており、さらに、シャッターメガネ４００Ａ、４００Ｂはそれぞれ、音声を出力するスピーカ（音声出力手段）を備えているものとする。
【００４５】
また、使用メガネ識別装置２０の制御部１１は、表示制御部１２に加え、さらに同期制御部（同期制御手段）１３と、音声制御部（音声制御手段）１４とを有する。
【００４６】
同期制御部１３は、シャッターメガネ４００の右目用シャッターあるいは左目用シャッターの少なくとも何れか一方が開となるシャッター開タイミングと、表示制御部１２が識別結果または映像を表示装置１００に表示させる識別結果または映像表示タイミングとを同期させる。このことを、図４を用いて具体的に説明する。
【００４７】
まず、観賞者が２人存在し、各々の観賞者が、シャッターメガネ４００Ａ、シャッターメガネ４００Ｂを装着している場合を考える。さらに、観賞態様として、シャッターメガネ４００Ａを装着する観賞者は３Ｄ映像を観賞し、シャッターメガネ４００Ｂを装着する観賞者は２Ｄ映像を観賞するものとする。このときの同期制御部１３およびシャッターメガネ４００Ａ・シャッターメガネ４００Ｂの動作を図４により説明する。
【００４８】
図４は、同期制御部１３、及びシャッターメガネ４００Ａ・シャッターメガネ４００Ｂの動作を説明するための図であり、同図（ａ）は、映像Ａ及び映像Ｂが表示装置１００に表示されるタイミングを示す図であり、同図（ｂ）は、シャッターメガネ４００Ａのシャッター動作を示す図であり、同図（ｃ）は、シャッターメガネ４００Ｂのシャッター動作を示す図である。
【００４９】
まず、同図（ａ）に示すように、表示制御部１２が、記憶部２００から映像Ａに対応する映像データ、及び映像Ｂに対応する映像データを取得して、映像Ａ及び映像Ｂを交互に表示装置１００に表示させる。図中の「〇」は表示装置１００に映像が表示され、「×」は表示装置１００に映像が表示されないことを示す。また、映像Ａおよび映像Ｂはそれぞれ、３Ｄ表示に用いられる右目用映像および左目用映像であるものとする。
【００５０】
上述したように、シャッターメガネ４００Ａを装着した観賞者は、３Ｄ映像を観賞する。そこで、同期制御部１３は、左目用映像である映像Ｂが表示装置１００に表示されるときに、シャッターメガネ４００Ａの右目用シャッターを閉とさせ、左目用シャッターを開とさせるシャッター駆動信号をシャッターメガネ４００Ａに出力する。次に、同期制御部１３は、右目用映像である映像Ａが表示装置１００に表示されるときに、シャッターメガネ４００Ａの左目用シャッターを閉とさせ、右目用シャッターを閉とさせるシャッター駆動信号をシャッターメガネ４００Ａに出力する。これにより、シャッターメガネ４００Ａは、上記シャッター駆動信号に基づいて、表示装置１００に映像Ａが表示されるときには左目用シャッターが閉、右目用シャッターが開となり、表示装置１００に映像Ｂが表示されるときには右目用シャッターが閉、左目用シャッターが開となる。その結果、シャッターメガネ４００Ａを装着した観賞者は左目で映像Ｂを、右目で映像Ａを見ることができ、３Ｄ映像を観賞することができる。
【００５１】
なお、上記の例では観賞者が２人の場合について説明したが、さらに他の観賞者が、シャッターメガネ４００Ｃを用いて映像Ｂ（２Ｄ表示）を観賞することも、あるいは、映像Ａ、Ｂ（３Ｄ表示）を観賞することも可能である。
【００５２】
具体的には、上記他の観賞者は、シャッターメガネ４００Ｃがシャッターメガネ４００Ａと同様の同期動作をすることにより映像Ａ、Ｂ（３Ｄ表示）を観賞することができ、シャッターメガネ４００Ｃがシャッターメガネ４００Ｂと同様の同期動作をすることにより映像Ｂ（２Ｄ表示）を観賞することができる。つまり、たとえ観賞者が複数存在する場合であっても、シャッターメガネ４００が他のシャッターメガネと共通の同期動作をすることにより、観賞者は共通の映像を観賞することができる。なお、この場合、複数の観賞者が共通の映像を観賞しているため、表１に掲載した識別結果は、例えば「あなたはユーザＡ、ユーザＣです」「あなたはメガネＡ、メガネＣを使用しています」、「この画面はメガネＡ、メガネＣで観賞できます」、「この画面をユーザＡ、ユーザＣが観賞しています」などとすればよい。
【００５３】
このように、複数のシャッターメガネ４００が共通の同期動作をすることにより、共通の映像を観賞者に観賞させうることは、以降すべての説明において同様である。
【００５４】
さらに、同期制御部１３は、右目用シャッターが開となるシャッター開タイミングと、表示制御部１２が識別結果（例えば、「あなたはユーザＡです」など）を表示装置１００に表示させる識別結果表示タイミングとを同期させる。これにより、観賞者は、右目用シャッターが開となるシャッター開タイミングにおいて、表示装置１００に表示される「あなたはユーザＡです」という識別結果を確認することができる。
【００５５】
次に、同図（ｃ）により、同期制御部１３、及びシャッターメガネ４００Ｂの動作を説明する。
【００５６】
上述したように、シャッターメガネ４００Ｂを装着した観賞者は、２Ｄ映像を観賞する。そこで、同期制御部１３は、左目用映像である映像Ｂが表示装置１００に表示されるときに、シャッターメガネ４００Ａの右目用シャッターおよび左目用シャッターを開とさせるシャッター駆動信号をシャッターメガネ４００Ｂに出力する。次に、同期制御部１３は、右目用映像である映像Ａが表示装置１００に表示されるときに、シャッターメガネ４００Ａの右目用シャッターおよび左目用シャッターを閉とさせるシャッター駆動信号をシャッターメガネ４００Ｂに出力する。
【００５７】
これにより、シャッターメガネ４００Ｂは、上記シャッター駆動信号に基づいて、映像Ｂが表示装置１００に表示されるときには右目用シャッターおよび左目用シャッターを開とし、映像Ａが表示装置１００に表示されるときには右目用シャッターおよび左目用シャッターを閉とする。その結果、シャッターメガネ４００Ｂを装着した観賞者は、２Ｄ映像を観賞することができる。
【００５８】
ここで、シャッターメガネ４００Ｂは、映像Ｂが表示装置１００に表示されるときには右目用シャッターおよび左目用シャッターを開としている。したがって、同期制御部１３が、右目用シャッターおよび左目用シャッターが開となるシャッター開タイミングと、表示制御部１２が識別結果（例えば、「あなたはユーザＢです」など）を表示装置１００に表示させる識別結果表示タイミングとを同期させた場合、図４（ｂ）に示される同期動作を行うシャッターメガネ４００Ａを装着する観賞者（ユーザＡとする）も、「あなたはユーザＢです」という識別結果を認識することになりという不具合が生じる。つまり、複数の観賞者がある共通の映像を観賞するときには、ある観賞者にとって正しい識別結果であっても、他の観賞者には正しくない識別結果が表示装置１００に表示されるという不具合が生じうる。
【００５９】
そこで、その不具合の解決方法として、以下の２つの方法が考えられる。
【００６０】
１つ目の方法として、例えば複数の観賞者が２Ｄ、３Ｄ映像を同時に観賞するケースにおいては、例外的に、映像Ａにのみ「あなたはユーザＡです」という識別結果を表示し、映像Ｂは２人の観賞者に共用のため、識別情報は表示しないという方法である。
【００６１】
２つ目の方法として、各観賞者が映像を観賞する前に、ある設定画面に誘導して、その設定画面において各観賞者に対して個別に識別結果を表示して、その識別結果を観賞者に認識させる、あるいは、一時的、強制的にユーザＡには映像Ａ、ユーザＢには映像Ｂしか見せないようにして、そのときに、「あなたはユーザＡです」、「あなたはユーザＢです」という識別結果を個別に表示させ、その識別結果を観賞者に認識させる、という方法である。
【００６２】
以上の方法により、たとえ複数の観賞者がある共通の映像を観賞するときであっても、自身の装着するシャッターメガネを識別する識別結果を各観賞者に正しく認識させることができ、上記不具合を解消することができる。
【００６３】
なお、これらの方法は、制御部１１（または表示制御部１２）が、複数の観賞者がある共通の映像を観賞することを判断し、上記方法に基づく画面表示を実現すればよい。
【００６４】
このように、表示制御部１２、同期制御部１３、及びシャッターメガネ４００Ａ・シャッターメガネ４００Ｂが動作するため、少なくとも一部の観賞者は、自身が観賞したい映像と、その映像とともに表示される識別結果を表示装置１００において認識することができる。
【００６５】
さらに、シャッターメガネ４００Ａ、シャッターメガネ４００Ｂを装着した観賞者の観賞態様（２Ｄ／３Ｄの観賞）がそれぞれ異なる場合においても、同期制御部１３は、少なくとも一部の観賞者に対しては、「あなたはユーザＡです」、「あなたはユーザＢです」といった識別結果を認識させることができる。
【００６６】
図５は、複数の観賞者が識別結果を認識する様子を示す概念図である。同図では、３人の観賞者（観賞者１〜３）それぞれに対して、識別結果「ユーザ１〜３」を表示している。なお、上記識別結果とともに、観賞者１は３Ｄ映像を、観賞者２は２Ｄ映像を、観賞者３は３Ｄ映像を観賞するという設定情報が表示されている。上記識別結果と上記設定情報とを含む映像を設定確認映像と表現し、同図では観賞者１〜３は設定確認映像を観賞しているものとする。また、同図では、図面右側にいくにつれ、時間が経過していることを示す。
【００６７】
同図では、観賞者１〜３がそれぞれ異なる映像を観賞しているため、表示制御部１２は、観賞者１に対する映像→観賞者２に対する映像→観賞者３に対する映像→観賞者１に対する映像→観賞者２に対する映像→観賞者３に対する映像、という順序で表示装置１００に各々の観賞者に対応付けられた映像を表示させている。このとき、同期制御部１３は、図４（ｃ）を参照して説明した方法により、右目用シャッター及び左目用シャッターを開閉させるシャッター駆動信号をシャッターメガネ４００に出力し、シャッターメガネ４００は、当該シャッター駆動信号に基づいて、右目用シャッター及び左目用シャッターを開閉している。その結果、観賞者１〜３は、自身の設定確認映像をそれぞれ観賞することができる。また、観賞者１〜３が観賞する設定確認映像には、各観賞者１〜３に対応する「ユーザ１〜３」という識別結果がそれぞれ表示されている。これにより、各観賞者は、自身が使用するシャッターメガネ４００を特定する識別結果と、自身が観賞する映像の設定情報とを、表示装置１００の表示する設定確認映像により認識することができる。
【００６８】
なお、図３の映像観賞システム２では、２台のシャッターメガネ４００Ａ、４００Ｂが使用されているが、シャッターメガネ４００の台数は２台に限定されず、任意の台数とすることができる。上記設定確認映像により、各観賞者は、識別結果と観賞する映像設定とを認識することができる。
【００６９】
また、表示制御部１２は、メガネ使用情報取得部１６が取得した使用情報が表示制御部１２に入力されたことをトリガとして、シャッターメガネ４００によって観賞される映像を表示装置１００に表示させる構成としてよい。
【００７０】
上記構成によれば、メガネ使用情報取得部１６によって取得された使用情報が制御部１１に入力されたことをトリガとして、シャッターメガネ４００によって観賞される映像が表示装置１００に表示されるため、上記映像を表示装置１００に常時表示しておく必要がない。
【００７１】
したがって、不要な映像表示を抑制し、各特定のシャッターメガネ４００の映像品質を高められるという効果が得られる。具体的には、シャッターメガネ４００が４つ使用されており、各々のシャッターメガネ４００に対応する映像が４種類あるとする。このとき、本来であれば、表示装置１００には各シャッターメガネ４００に対応する４つの映像を時分割して表示しなければならない。しかしながら、２つのシャッターメガネ４００が不使用状態にあるときには、上記構成とすることにより、２つの映像のみが時分割して表示装置１００に表示されることになる。つまり、表示装置１００に時分割して表示される映像が４つから２つになることにより、観賞者は２倍の時間映像を観賞でき、それゆえ映像の明るさ、滑らかさ等の映像品質が向上するという効果を実現することができる。上記のように時分割数が変化すると、観賞者の観賞する映像の体感明るさ（映像観賞用メガネを介して観賞した明るさ）が変化する。観賞者が観賞環境上一定の体感明るさを所望する場合には、表示映像の輝度を変化させればよい。その場合でも、時分割数が減ることで観賞者は滑らかさが向上した映像を観賞することができる。
【００７２】
なお、上記構成は、シャッターメガネ４００の開閉動作と同期制御部１３との間の同期制御が前提となるが、その詳細はすでに説明したため、ここでの詳細説明は省略する。
【００７３】
次に、音声制御部１４について説明する。音声制御部１４は、記憶部２００から、表示装置１００に表示するための映像に付随する音声に対応する音声データを取得する。そして、音声制御部１４は、その音声を、当該音声に対応する映像を観賞することができるシャッターメガネ４００のスピーカから出力させる。
【００７４】
すなわち、音声制御部１４は、映像Ａを観賞することができるシャッターメガネがシャッターメガネ４００Ａであれば、映像Ａに付随する音声Ａがシャッターメガネ４００Ａのスピーカから出力されるように、音声Ａに対応する音声データの出力先を制御する。これにより、観賞者は、異なるシャッターメガネ４００ごとに、そのシャッターメガネ４００によって観賞することができる映像に応じた音声を聴くことができる。
【００７５】
なお、音声データをアンプにより増幅させる等の音声出力処理は、公知の方法によって行えばよい。したがって、使用メガネ識別装置または表示装置１００の内部に、図示しない音声出力処理回路が設けられておればよく、ここでの詳細説明は省略する。
【００７６】
〔各観賞者の操作可能な操作部３００が１台（共通使用）の場合〕
図５では、複数の観賞者が識別結果を認識する様子を概念的に示した。次に、図６を用いて、各観賞者の操作可能な操作部３００が１台（共通使用）のときの、複数の観賞者が識別結果を認識する様子を説明する。
【００７７】
図６は、各観賞者の操作可能な操作部３００が１台（共通使用）のときの、複数の観賞者が識別結果を認識する様子を説明する図であって、複数の観賞者のうち、１人の代表者が操作部３００を介して入力操作を行う場合について説明する図である。なお、同図では、観賞者は３人であり、観賞者１は３Ｄ映像を、観賞者２は２Ｄ映像を、観賞者３は３Ｄ映像を観賞するという設定確認映像を観賞しているものとする。
【００７８】
同図のケースが想定される例として、３人の観賞者が、それぞれシャッターメガネ４００を装着し、かつ、その識別番号を把握していないときに、設定確認映像を観賞しながら、代表者が代表して操作部３００から各シャッターメガネ４００の識別情報（識別番号、識別名称等）を使用メガネ識別装置２０に入力するケースが考えられる。
【００７９】
このとき、図５を参照して説明した方法により、各観賞者に対して、「あなたはユーザ１（または２、３）」という識別結果が個別に表示され、さらに、「ユーザ１  ３Ｄ／ユーザ２  ２Ｄ／ユーザ３  ３Ｄ」という設定情報が、各観賞者に対して共通に表示される。つまり、表示制御部１２は、「あなたはユーザ１（または２、３）」という識別結果を各ユーザ向けに個別に表示し、かつ、「ユーザ１  ３Ｄ／ユーザ２  ２Ｄ／ユーザ３  ３Ｄ」という設定情報を全観賞者に向けて表示装置１００に共通に表示させる。
【００８０】
これにより、各観賞者は、「あなたはユーザ１（または２、３）」という識別結果を認識し、そのうえで、「ユーザ１  ３Ｄ／ユーザ２  ２Ｄ／ユーザ３  ３Ｄ」という共通の表示により、ユーザ１であれば３Ｄ映像を観賞できることを認識することができる。また、観賞者２であれば、「あなたはユーザ２」といった識別結果を認識し、そのうえで、「ユーザ１  ３Ｄ／ユーザ２  ２Ｄ／ユーザ３  ３Ｄ」という共通の表示により、ユーザ２であれば２Ｄ映像を観賞できることを認識することができる。
【００８１】
このように、各観賞者の操作可能な操作部３００が１台しかないときには、「ユーザ１
３Ｄ／ユーザ２  ２Ｄ／ユーザ３  ３Ｄ」等の各観賞者が観賞可能な共通の画面を表示装置１００に表示させることが望ましい。代表者のみが操作部３００を使って映像の設定を行うことになるため、代表者以外の観賞者は映像の設定変更を行うことができないものの、上記のように共通の画面を表示することにより、他の観賞者が観賞する映像の映像態様等を知ることができる。これにより、代表者は自分以外の映像の設定変更をも行うことができ、さらに、代表者以外は自身の希望する映像の設定を代表者に行わせる契機とすることができる。こうしておけば、どの観賞者でも代表者になることができるため、操作部３００が１台しかない場合であっても、全員の設定変更を行うことができる。
【００８２】
なお、表示装置１００に表示させる共通の画面は、図６では「ユーザ１  ３Ｄ／ユーザ２  ２Ｄ／ユーザ３  ３Ｄ」としているが、これに限られず、種々の表示方法を採ることができる。
【００８３】
〔観賞者ごとの操作部３００が存在する場合〕
図６では、各観賞者の操作可能な操作部３００が１台（共通使用）のときの、複数の観賞者が識別結果を認識する様子を示した。次に、図７を用いて、観賞者ごとに操作部３００存在するときの、複数の観賞者が識別結果を認識する様子を説明する。
【００８４】
図７は、観賞者ごとに操作部３００が存在するときの、複数の観賞者が識別結果を認識する様子を説明する図である。なお、同図では、観賞者は３人としている。
【００８５】
このとき、図５を参照して説明した方法により、観賞者１には「あなたはユーザ１  コントローラ１で操作して下さい」という識別結果が、観賞者２には「あなたはユーザ２  コントローラ２で操作して下さい」という識別結果が、観賞者３には「あなたはユーザ３
コントローラ３で操作して下さい」という識別結果が、それぞれ表示される。
【００８６】
したがって、各観賞者は、その識別結果を認識することにより、自身が装着するシャッターメガネ４００を特定することができ、かつ、自身の装着するシャッターメガネ４００に対応するコントローラを用いて、その後の入力操作を確実に行うことができる。それにより、誤ったコントローラを用いた入力操作によって、他人の観賞設定を過誤に変更するという事態を防止することができる。
【００８７】
〔複数の観賞者が観賞する映像の一部が共通部分を有する構成〕
本構成は、複数の観賞者が、各々異なる映像を観賞しているものの、その映像の一部に共通部分（以下、「共通映像」と称する。）を有する場合に関するものであり、その一例として、図６の「ユーザ１  ３Ｄ／ユーザ２  ２Ｄ／ユーザ３  ３Ｄ」が挙げられる。
【００８８】
共通映像は表示制御部１２の動作によって実現するものであり、表示制御部１２は、〔各観賞者の操作可能な操作部３００が１台（共通使用）の場合〕に該当するとき、あるいは、操作部３００から観賞者による操作を受け付けたときなどに、表示装置１００に共通映像を表示させればよい。
【００８９】
本構成による効果は、次の通りである。
【００９０】
シャッターメガネ４００を装着していない観賞者（以下、「裸眼者」と称する。）は、各観賞者が観賞する映像に共通映像が含まれていない場合、個別の映像が重なり合った１つの映像を観賞することになり、重なり合う映像が多くなるほど、どのような映像が表示装置１００に表示されているか認識できなくなる。
【００９１】
この点、各観賞者が観賞する映像に共通映像が含まれている場合には、裸眼者は、共通映像を視認することにより、少なくともその共通映像から、表示装置１００に表示されている各映像の内容を認識することができる。したがって、複数の観賞者が観賞する映像の一部に共通部分を含ませておくことにより、裸眼者は、一部映像を視認および観賞することができる。
【００９２】
また、以下の構成により、複数の観賞者が観賞する映像の一部に共通部分を含ませておくこともできる。
【００９３】
すなわち、各観賞者が個別に観賞している映像の全部あるいは一部を縮小させ、それらを１つの画面内に並べてなる映像を共通映像として表示装置１００に表示する。これにより、裸眼者は、観賞者が観賞する一部映像の視認および観賞が可能となる。その際、各観賞者が観賞する映像に、その観賞者の識別情報（識別結果）を含めておけば、裸眼者は、どの観賞者がどのような映像を観賞しているかを認識することができる。これにより、裸眼者は、各観賞者の観賞状況を理解できるだけでなく、その観賞状況を確認したうえで、シャッターメガネ４００を装着して、所望の映像の観賞に途中参加するという発展的な観賞態様を実現することができる。
【００９４】
さらに、シャッターメガネ４００を装着する他の観賞者も、共通映像を確認することにより、自分以外の他の観賞者の観賞状況を認識することができ、これにより、他の観賞者が観賞している映像の観賞に途中参加するという発展的な観賞態様を実現することができる。
【００９５】
〔使用メガネ識別装置３０の概略構成〕
次に、本実施形態に係るさらに他の使用メガネ識別装置３０について図８を用いて説明する。図８は、使用メガネ識別装置３０の概略構成を示すブロック図である。なお、表示装置１００には、図６等の識別結果が表示されているものとする。
【００９６】
図８の映像観賞システム３では、使用メガネ識別装置３０は、使用メガネ識別装置２０の構成に加え、さらに、通信部１８と設定変更部１９とからなる命令受付部（命令受付手段）１７を有する。
【００９７】
通信部１８は、観賞者によって操作部３００を介して入力される命令であって、表示装置１００に表示される映像の設定を変更する命令（以下、「指示信号」と称することもある。）を受け付ける。例えば、通信部１８は、操作部３００の操作ボタンＡが「映像設定変更ボタン」として割り当てられているときに、観賞者が操作ボタンＡを押すことにより、上記指示信号を受け付ける。そして、通信部１８は、上記指示信号を受け付けた旨、およびその内容を示す信号を設定変更部１９に出力する。
【００９８】
設定変更部１９は、通信部１８から上記信号を受信すると、変更される設定に関する情報を記憶部２００から取得する。例えば、設定変更部１９は、映像１を映像２に変更する旨の信号が通信部１８から入力されると、映像２に係る映像データ（映像に付随する音声が存在する場合には、その音声に応じた音声データも含む）を記憶部２００から取得する。そして、設定変更部１９は、映像１を映像２に変更する旨、及び映像２に係る映像データ・音声データ（以下、併せて「設定情報」と称することもある。）を制御部１１に出力する。
【００９９】
あるいは、他の例として、設定変更部１９は、映像の明度を変更する信号が通信部１８から入力されると、明度を変更する旨の設定情報を表示制御部１２に出力する。
【０１００】
なお、映像の設定は、観賞する映像の変更（映像１から映像２への変更、２Ｄ映像と３Ｄ映像との切換え）、映像の画質の設定（明から暗画面、暗から明画面への変更）など、映像に関する設定の全般を対象とすることができる。
【０１０１】
そして、制御部１１は、設定変更部１９から設定情報が入力されると、表示制御部１２が、変更された設定に関する映像を表示装置１００に表示させる。また、音声制御部１４が、表示装置１００に表示するための映像に付随する音声を、当該音声に対応する映像を観賞することができるシャッターメガネ４００のスピーカから出力させる。さらに、同期制御部１３が、シャッターメガネ４００の右目用シャッターあるいは左目用シャッターの少なくとも何れか一方が開となるシャッター開タイミングと、表示制御部１２が識別結果を表示装置１００に表示させる識別結果表示タイミングとを同期させる。
【０１０２】
このように、使用メガネ識別装置３０は、観賞者によって操作部３００を介して入力される命令であって、表示装置１００に表示される映像の設定を変更する命令を受け付ける命令受付部１７を備え、その命令受付部１７は、変更された設定に関する設定情報を制御部１１に出力し、制御部１１は、設定情報に応じた映像を表示装置１００に表示させる。その結果、観賞者は、自身が装着している特定のシャッターメガネ４００を識別したうえで、そのシャッターメガネ４００に対応する映像の設定を変更する、といった発展的な観賞方法を実現することができる。
【０１０３】
〔使用メガネ識別装置の適用例〕
以下、使用メガネ識別装置３０の適用例を説明する。
【０１０４】
〔映像の切換え〕
観賞者が観賞する映像を変更（映像１から映像２へ変更、２Ｄ映像から３Ｄ映像への変更）する例を図９により説明する。
【０１０５】
なお、表示制御部１２は、識別結果（表１参照）を記憶部２００から取得して、各シャッターメガネ４００向けの識別結果を、表示装置１００における各シャッターメガネ４００向けの映像中に表示させているものとする。また、図９（ａ）の画面は、例えば操作部３００の操作ボタンＡが「映像設定変更ボタン」として割り当てられており、観賞者が操作ボタンＡを押すことにより表示装置１００に表示されるものとする。さらに、観賞者は４人おり、観賞者１（「ユーザ１」とも称する。）が映像の設定を行っているものとして説明する。
【０１０６】
図９は、観賞者が観賞する映像の設定を変更する例を説明するための図であって、同図（ａ）は、ユーザに設定変更の確認を要求する様子を示す図であり、同図（ｂ）は、変更可能な映像の設定内容を示す図である。
【０１０７】
まず、操作部３００の操作ボタンＡが「映像設定変更ボタン」として割り当てられており、観賞者が操作ボタンＡを押すことにより、表示装置１００に同図（ａ）に示される確認画面が表示される。このとき、操作部３００（の操作ボタンＡ）が１台（共通使用）の場合は、まず、どの観賞者が変更を要しているかを確認するために、同図（ａ）の確認画面は全ての観賞者（メガネ）向けに表示されることが望ましい。観賞者１は、「あなたはユーザ１です」等の識別結果を表示装置１００で予め確認しているため、自身はユーザ１であることを認識している。したがって、観賞者１は、「ユーザ１の設定を変更します。」という項目を選択する。項目の選択は、１列目に付された「〇」印の位置を決めたうえで、操作部３００の図示しない「決定」ボタンが押されることにより行われる。項目の選択が行われると、次に、同図（ｂ）の画面が表示装置１００に表示される。ただし、ユーザに設定変更の確認を要求する同図（ａ）の画面の表示は省略することもでき、その場合には、観賞者が操作ボタンＡを押すことにより、後述の同図（ｂ）の画面が表示装置１００に表示される構成で実現されてもよい。例えば、操作部３００（の操作ボタンＡ）が観賞者ごとに存在する場合は、前述したように、また後述するように観賞者（以下、ユーザと称することもある）は対応するコントローラを認識し操作するようにもできる。従って、変更を要しているユーザは、自らのコントローラで操作することによりユーザを特定したことになるため、同図（ａ）の画面の表示は省略することもできる。
【０１０８】
同図（ｂ）では、「ユーザ１が観賞している映像」、「観賞可能な映像」、「画質設定」という項目が表示装置１００に表示されている。なお、表示される項目は、同図（ｂ）で示す項目に限られず、他の項目を含むものであってもよい。また、同図（ｂ）に示される例はあくまで一例であって、表示形式は例示される形式に限られない。さらに、同図（ｂ）の表示は、設定を行っている（継続している）ユーザ１向け映像として少なくとも表示すればよく、設定を行わない他ユーザ向け映像はこれに限るものではなく、他の映像を表示しても構わない。
【０１０９】
まず、同図（ｂ）の「ユーザ１が観賞している映像」では、ユーザ１が現在観賞している映像についての説明が示される。これにより、ユーザ１は、「映像１」を観賞しており、その映像１は、「２Ｄ」であり、「2010/4/1録画 2:30:00  山本太郎他」という属性を有することを確認する。
【０１１０】
次の項目「観賞可能な映像」では、ユーザ１が観賞することのできる映像がリスト化され表示されている。ここでは、映像１〜映像５までが表示されており、例えば、映像２は、３Ｄ映像であり、「2010/4/2録画 2:00:00  サッカー」という属性を有する。このように、ユーザ１は、映像１〜映像５までの属性を確認することにより、自身が観賞を希望する映像を決定することができる。決定する場合には、観賞を希望する項目に「〇」印を位置決めし、操作部３００の図示しない「決定」ボタンを押せばよい。上記２Ｄ／３Ｄの種別は各映像に対し固定されているが、これは説明における便宜上のものであり、実際には選択肢として２Ｄ／３Ｄの種別をも選択できるようにしてもよい。そうしておけば、ユーザ１は映像、２Ｄ／３Ｄの種別のいずれも変更することができる。
【０１１１】
なお、「画質設定」という項目は、映像の明度を観賞者に変更させるものであり、暗画質から明画質を任意に調節することができ、「観賞可能な映像」を決定する前の段階で映像に応じて画質の明度を適宜調節しておけばよい。
【０１１２】
以上の操作により、ユーザ１は、自身が観賞する映像を映像１（２Ｄ）から映像２（３Ｄ）へ変更することができる。
【０１１３】
次に、観賞者１が、自身が観賞する映像を映像１（２Ｄ）から映像２（３Ｄ）へ変更する流れを図１０により説明する。図１０は、観賞者が、観賞する映像の設定を変更する流れを説明するためのフローチャートである。
【０１１４】
Ｓ１０では、表示制御部１２は、識別情報取得部１５が取得した識別情報に関連付けられた識別結果（表１参照）を記憶部２００から取得して、その識別結果を表示装置１００に表示させる。これにより、観賞者１は、自身がユーザ１であることを認識する。
【０１１５】
Ｓ２０では、観賞者１が、観賞する映像の設定を変更することを希望し、操作部３００の「映像設定変更ボタン」を押す。
【０１１６】
Ｓ３０では、通信部１８が、観賞者によって操作部３００を介して入力される命令であって、表示装置１００に表示される映像の設定を変更する命令を受け付け、表示制御部１２に、ユーザに設定変更の確認を要求する図９（ａ）の画面を表示させる。なお、図９（ａ）の画面に対応するデータは、記憶部２００に予め記憶させておき、表示制御部１２が記憶部２００から当該データを取得するようにしておけばよい。
【０１１７】
Ｓ４０では、図９（ａ）および図９（ｂ）の表示画面において、操作部３００を介したユーザの入力操作が行われる。つまり、図（９）では、「ユーザ１の設定を変更します。」が選択され、図９（ｂ）では、「映像２」が選択される。
【０１１８】
Ｓ５０では、通信部１８が、観賞者によって操作部３００を介して入力された命令であって、表示装置１００に表示される映像の設定を変更する指示信号を受信する。そして、通信部１８は、上記指示信号を受け付けた旨、およびその内容を示す信号を設定変更部１９に出力する。
【０１１９】
Ｓ６０では、設定変更部１９は、通信部１８から上記信号を受信すると、変更される設定に関する情報を記憶部２００から取得する。例えば、設定変更部１９は、映像１を映像２に変更する旨の信号を通信部１８から受信すると、映像２に係る映像データ（映像に付随する音声が存在する場合には、その音声に応じた音声データも含む）を記憶部２００から取得する。そして、設定変更部１９は、映像１を映像２に変更する旨、及び映像２に係る映像データ・音声データ（以下、併せて「設定情報」と称することもある。）を制御部１１に出力する。
【０１２０】
Ｓ７０では、制御部１１が設定変更部１９から設定情報を受信すると、表示制御部１２が、変更された設定に関する映像を表示装置１００に表示させる。また、同期制御部１３が、シャッターメガネ４００の右目用シャッターあるいは左目用シャッターの少なくとも何れか一方が開となるシャッター開タイミングと、表示制御部１２が識別結果を表示装置１００に表示させる識別結果表示タイミングとを同期させるなどの同期制御を行う。さらに、音声制御部１４が、表示装置１００に表示するための映像に付随する音声を、当該音声に対応する映像を観賞することができるシャッターメガネ４００のスピーカから出力させる。
【０１２１】
このように、使用メガネ識別装置３０を用いることにより、観賞者は、特定のシャッターメガネ４００を識別したうえで、そのシャッターメガネ４００に対応する映像の設定を変更することができる。
【０１２２】
〔リモコンの切換え〕
観賞者が使用するリモコンを変更（リモコンＡからリモコンＤへ変更）する例を図１１により説明する。
【０１２３】
なお、表示制御部１２は、識別結果（表１参照）を記憶部２００から取得して、その識別結果を表示装置１００に表示させているものとする。また、図１１（ａ）で示される画面は、例えば操作部３００の操作ボタンＡが「設定変更ボタン」として割り当てられており、観賞者が操作ボタンＡを押すことにより表示装置１００に表示されるものとする。さらに、観賞者１（「ユーザ１」とも称する。）が現在使用しているリモコンは、リモコンＡであるものとして説明する。
【０１２４】
図１１は、観賞者が使用するリモコンを変更する例を説明するための図であって、同図（ａ）は、ユーザに設定変更の確認を要求する様子を示す図であり、同図（ｂ）は、観賞者１が設定変更する対象を決定する様子を示す図であり、同図（ｃ）は、使用するリモコンがリモコンＡからリモコンＤへ変更されるときの様子を示す図であり、同図（ｄ）は、設定が変更されたことを観賞者に知らせる様子を示す図である。
【０１２５】
まず、操作部３００の操作ボタンＡが「設定変更ボタン」として割り当てられており、観賞者が操作ボタンＡを押すことにより、表示装置１００に同図（ａ）に示される確認画面が表示される。このとき、操作部３００（の操作ボタンＡ）が１台（共通使用）の場合は、まず、どの観賞者が変更を要しているかを確認するために、同図（ａ）の確認画面は全ての観賞者（メガネ）向けに表示されることが望ましいことは〔映像の切換え〕で示したのと同様である。ここでは、観賞者１は、「あなたはユーザ１です」等の識別結果を表示装置１００で予め確認しているため、自身はユーザ１であることを認識している。したがって、観賞者１は、「ユーザ１の設定を変更します。」という項目を選択する。項目の選択は、１列目に付された「〇」印の位置を決めたうえで、操作部３００の図示しない「決定」ボタンが押されることにより行われる。項目の選択が行われると、次に、同図（ｂ）の画面が表示装置１００に表示される。ただし、ユーザに設定変更の確認を要求する同図（ａ）の画面の表示は省略することもでき、その場合には、観賞者が操作ボタンＡを押すことにより、後述の同図（ｂ）の画面が表示装置１００に表示される構成で実現されてもよい。例えば、操作部３００（の操作ボタンＡ）が観賞者ごとに存在する場合は、前述したように、また後述するようにユーザ（メガネ）は対応するコントローラを認識し操作するようにもできる。従って、変更を要している観賞者は自らのコントローラで操作すればユーザを特定したことになるため、同図（ａ）の画面の表示は省略することもできる。これも〔映像の切換え〕で示したことと同様である。
【０１２６】
同図（ｂ）では、「映像の設定変更」、「使用するリモコンの変更」という項目が表示装置１００に表示されている。ここで、「映像の設定変更」を選択すると、図９（ｂ）を参照して説明した表示画面に移る。一方、「使用するリモコンの変更」を選択すると、図１１（ｃ）を参照して説明する表示画面に移る。項目の選択は、１列目に付された「〇」印の位置を決めたうえで、操作部３００の図示しない「決定」ボタンが押されることにより行われる。項目の選択が行われると、次に、同図（ｃ）の画面が表示装置１００に表示される。
【０１２７】
なお、観賞者に設定変更の確認を要求する同図（ｂ）の画面の表示は省略することもでき、その場合には、観賞者が操作ボタンＡを押すことにより、後述の同図（ｃ）の画面が表示装置１００に表示される構成で実現されてもよい。また、表示される項目は、同図（ｂ）で示す項目に限られず、他の項目を含むものであってもよい。また、同図（ｂ）に示される例はあくまで一例であって、表示形式は例示される形式に限られない。なお、以降に説明する同図（ｂ）以降の表示は設定を行っている（継続している）ユーザ１向け映像として少なくとも表示すればよく、設定を行わない他ユーザ向け映像はこれに限るものではなく、他の映像を表示しても構わない。
【０１２８】
同図（ｃ）は、同図（ｂ）に示す表示画面において、観賞者１が、「使用するリモコンの変更」を選択したときに表示装置１００に表示される画面である。
【０１２９】
同図（ｃ）では、「リモコンＡ（または、Ｂ〜Ｄ）」、「現在ユーザ１（または、２、３）さんが使用中」もしくは「誰も使用していません。」という項目が表示装置１００に表示されている。
【０１３０】
そこで、観賞者１は、現在使用中のリモコンＡを、誰も使用していないリモコンＤに変更することを希望していることから、「リモコンＤ」「誰も使用していません」という項目からなる最終行を選択する（「〇」印））。そして、操作部３００の図示しない「決定」ボタンを押すことにより、観賞者１は、自身が使用するリモコンをリモコンＤに変更することができる。
【０１３１】
そして、同図（ｄ）に示すように、観賞者１が使用するリモコンの設定変更が行われたことを受けて、表示装置１００には、「ユーザ１さんは、現在リモコンＤを使用する設定に変更されました。」という画面が表示される。これにより、観賞者１は、設定変更が無事に行われたことを確認することができる。
【０１３２】
なお、上記の設定変更前には、通信部１８は、リモコンＡから受信する信号を観賞者１が装着するシャッターメガネ４００Ａに関連付けて認識していたところ、上記の設定変更後においては、通信部１８は、リモコンＤから受信する信号をシャッターメガネ４００Ａに関連付けて認識する。別の言い方をすれば、設定変更前にはシャッターメガネ４００Ａで観賞するための映像として、表示装置１００がシャッターメガネ４００Ａに同期して表示している映像に対してリモコンＡで操作していたところ、設定変更後においては表示装置１００がシャッターメガネ４００Ａに同期して表示している映像に対してリモコンＤで操作できるようになる。
【０１３３】
以上の操作を経て、観賞者１は、自身が観賞する映像に対して使用するリモコンを、リモコンＡからリモコンＤへ変更することができる。
【０１３４】
次に、観賞者１が、自身の使用するリモコンを、リモコンＡからリモコンＤへ変更する流れを図１２により説明する。図１２は、観賞者が、自身が使用するリモコンを、リモコンＡからリモコンＤへ変更する流れを説明するためのフローチャートである。
【０１３５】
Ｓ１１０では、表示制御部１２は、識別情報取得部１５が取得した識別情報に関連付けられた識別結果（表１参照）を記憶部２００から取得して、その識別結果を表示装置１００に表示させる。これにより、観賞者１は、自身がユーザ１であることを認識する。
【０１３６】
Ｓ１２０では、観賞者１が、観賞する使用するリモコンを変更することを希望し、操作部３００の「設定変更ボタン」を押す。
【０１３７】
Ｓ１３０では、通信部１８が、観賞者によって操作部３００を介して入力される命令であって、設定を変更する命令を受け付け、表示制御部１２に、ユーザに設定変更の確認を要求する図１１（ａ）の画面を表示させる。
【０１３８】
Ｓ１４０では、図１１（ａ）の表示画面において、操作部３００を介したユーザの入力操作が行われる。
【０１３９】
なお、図１１（ａ）の表示画面におけるユーザの入力操作が終了すると、同様に、図１１（ｂ）、図１１（ｃ）の画面が表示され、図１１（ｂ）、図１１（ｃ）の表示画面において、操作部３００を介したユーザの入力操作が行われる。図１１（ａ）、同図１１（ｂ）、図１１（ｃ）の画面に対応するデータは、記憶部２００に予め記憶させておき、表示制御部１２が記憶部２００から当該データを取得するようにしておけばよい。
【０１４０】
Ｓ１５０では、通信部１８が、観賞者によって操作部３００を介して入力された命令であって、使用するリモコンをリモコンＡからリモコンＤに変更する指示信号を受信する。そして、通信部１８は、上記指示信号を受け付けた旨、およびその内容を示す信号を設定変更部１９に出力する。
【０１４１】
Ｓ１６０では、設定変更部１９は、通信部１８から上記信号を受信すると、記憶部２００に予め記憶されていた、図１１（ｄ）の画面に対応するデータを記憶部２００から取得して、そのデータを表示制御部１２に出力する。
【０１４２】
Ｓ１７０では、表示制御部１２は、図１１（ｄ）の画面を表示装置１００に表示させる。つまり、表示装置１００には、「ユーザ１さんは、現在リモコンＤを使用する設定に変更されました。」という画面が表示される。これにより、観賞者１は、設定変更が無事に行われたことを確認することができる。
【０１４３】
Ｓ１８０では、リモコンの設定変更前には、通信部１８は、リモコンＡから受信する信号を観賞者１が装着するシャッターメガネ４００Ａに関連付けて認識していたところ、リモコンの設定変更後には、通信部１８は、リモコンＤから受信する信号をシャッターメガネ４００Ａに関連付けて認識する。別の言い方をすれば、表示装置１００がシャッターメガネ４００Ａに同期して表示している映像に対してリモコンＤから受信する信号を関連付けて認識する。これにより、観賞者１が使用するリモコンの設定変更が終了する。なお、Ｓ１８０は、S１７０の前後の何れに行われてもよい。
【０１４４】
このようにして、使用メガネ識別装置３０を用いることにより、特定のシャッターメガネ４００を識別したうえで、そのシャッターメガネ４００に関連付けられた、使用リモコンを変更することができる。
【０１４５】
〔ゲームのプレーヤー選択〕
図９、図１１を参照して説明した適用例では、映像の設定変更および使用するリモコンの変更は、観賞者の主体的な操作によって行われている。
【０１４６】
しかしながら、ここで説明する適用例では、ゲームのプレーヤー切換え、及びその切換えに伴う表示制御部１２及び同期制御部１３の制御が、観賞者の主体的な操作を介することなく、装置側において行われる点で、上記２つの適用例とは相違する。以下、その内容を具体的に説明する。
【０１４７】
まず、観賞者１（以下、「プレーヤー１」と称する）及び観賞者２（以下、「プレーヤー２」と称する）が、対戦式のゲームを行っており、それぞれシャッターメガネ４００Ａ及びシャッターメガネ４００Ｂを装着しているものとする。また、当該ゲームを動作させるゲーム機は表示装置１００の外部に設けられており、そのゲーム機は、表示装置１００および使用メガネ識別装置１０（２０、３０）に接続されているものとする。さらに、プレーヤー１及びプレーヤー２は、それぞれ表示装置１００に表示される３Ｄ表示のゲーム映像を観ているものとする。このときの同期制御部１３およびシャッターメガネ４００Ａ・シャッターメガネ４００Ｂの動作を図１３により説明する。
【０１４８】
図１３は、映像Ａ〜映像Ｄが表示装置１００に表示されるタイミングとシャッターメガネ４００Ａおよびシャッターメガネ４００Ｂの右目用シャッターあるいは左目用シャッターの開閉タイミングとが同期されていることを示すための図であり、同図（ａ）はプレーヤー切換前について、同図（ｂ）はプレーヤー切換後について、それぞれ説明するための図である。
【０１４９】
なお、図中の「〇」は表示装置１００に映像が表示され、「×」は表示装置１００に映像が表示されないことを示す。また、映像Ａ・Ｃは３Ｄ表示に用いられる右目用映像であり、映像Ｂ・Ｄは３Ｄ表示に用いられる左目用映像であるものとする。
【０１５０】
まず、同図（ａ）を用いて、プレーヤー切換前における、映像Ａ〜映像Ｄが表示装置１００に表示されるタイミング及びシャッターメガネ４００Ａおよびシャッターメガネ４００Ｂの右目用シャッターあるいは左目用シャッターの開閉タイミングについて説明する。
【０１５１】
表示装置１００には、映像Ａ、映像Ｂ、映像Ｃ、映像Ｄが、その順番に表示される。ここで、映像Ａ及び映像Ｂは、３次元表示に用いられる一対の右目用映像および左目用映像であり、シャッターメガネ４００Ａを装着したプレーヤー１に対して表示される。また、映像Ｃ及び映像Ｄは、３次元表示に用いられる一対の右目用映像および左目用映像であり、シャッターメガネ４００Ｂを装着したプレーヤー２に対して表示される。
【０１５２】
同期制御部１３は、映像Ａが表示装置１００に表示されるときにシャッターメガネ４００Ａの右目用シャッターを開とし、シャッターメガネ４００Ａの左目用シャッター、シャッターメガネ４００Ｂの右目用シャッター・左目用シャッターを閉とするよう同期制御を行う。また、同期制御部１３は、映像Ｂが表示装置１００に表示されるときにシャッターメガネ４００Ａの左目用シャッターを開とし、シャッターメガネ４００Ａの右目用シャッター、シャッターメガネ４００Ｂの右目用シャッター・左目用シャッターを閉とするよう同期制御を行う。また、同期制御部１３は、映像Ｃが表示装置１００に表示されるときにシャッターメガネ４００Ｂの右目用シャッターを開とし、シャッターメガネ４００Ｂの左目用シャッター、シャッターメガネ４００Ａの右目用シャッター・左目用シャッターを閉とするよう同期制御を行う。また、同期制御部１３は、映像Ｄが表示装置１００に表示されるときにシャッターメガネ４００Ｂの左目用シャッターを開とし、シャッターメガネ４００Ｂの右目用シャッター、シャッターメガネ４００Ａの右目用シャッター・左目用シャッターを閉とするよう同期制御を行う。したがって、プレーヤー１は、プレーヤー２に対して表示される映像Ｃ・Ｄを観ることができず、プレーヤー２は、プレーヤー１に対して表示される映像Ａ・Ｂを観ることができない状態となっている。
【０１５３】
この状態においてゲームが進展し、プレーヤーのある操作によって、プレーヤー１及びプレーヤー２に対して表示される映像が互いに切り換わる（プレーヤーが切り換わる）ケースを考える。なお、この切換えは、プレーヤーのある操作をトリガとして、ゲーム機に内蔵された、ゲームを動作させるプログラムによって行われるものとする。
【０１５４】
このとき、そのゲーム機は、表示装置１００および使用メガネ識別装置１０（２０、３０）に接続されており、プレーヤーの切換えを指示する信号（以下、「切換信号」と称する。）が、ゲーム機から使用メガネ識別装置１０（２０、３０）の制御部１１または命令受付部１７へ送信される。そして、制御部１１は、上記切換信号に応じて、図１３（ｂ）に示す制御を行う。
【０１５５】
同図（ｂ）は、プレーヤー切換後における、映像Ａ〜映像Ｄが表示装置１００に表示されるタイミング及びシャッターメガネ４００Ａおよびシャッターメガネ４００Ｂの右目用シャッターあるいは左目用シャッターの開閉タイミングについて説明する図である。
【０１５６】
同図（ｂ）では、表示制御部１２は、映像Ａ、映像Ｂ、映像Ｃ、映像Ｄを、その順に表示装置１００に表示させている。このとき、同期制御部１３は、映像Ａが表示装置１００に表示されるときにシャッターメガネ４００Ｂの右目用シャッターを開とし、シャッターメガネ４００Ｂの左目用シャッター、シャッターメガネ４００Ａの右目用シャッター・左目用シャッターを閉とするよう同期制御を行う。また、同期制御部１３は、映像Ｂが表示装置１００に表示されるときにシャッターメガネ４００Ｂの左目用シャッターを開とし、シャッターメガネ４００Ｂの右目用シャッター、シャッターメガネ４００Ａの右目用シャッター・左目用シャッターを閉とするよう同期制御を行う。また、同期制御部１３は、映像Ｃが表示装置１００に表示されるときにシャッターメガネ４００Ａの右目用シャッターを開とし、シャッターメガネ４００Ａの左目用シャッター、シャッターメガネ４００Ｂの右目用シャッター・左目用シャッターを閉とするよう同期制御を行う。また、同期制御部１３は、映像Ｄが表示装置１００に表示されるときにシャッターメガネ４００Ａの左目用シャッターを開とし、シャッターメガネ４００Ａの右目用シャッター、シャッターメガネ４００Ｂの右目用シャッター・左目用シャッターを閉とするよう同期制御を行う。したがって、プレーヤー１は、プレーヤー２に対して表示される映像Ａ・Ｂを観ることができず、プレーヤー２は、プレーヤー１に対して表示される映像Ｃ・Ｄを観ることができない状態となっている。
【０１５７】
このように、ゲーム機に内蔵されたプログラムと使用メガネ識別装置１０（２０、３０）とが協働して動作することにより、プレーヤー１およびプレーヤー２に対して表示される映像の切り換え、すなわち、１つのゲームにおいて展開される２つの世界（２つの視点）をプレーヤーに提供させることができ、かつ、使用メガネ識別装置１０（２０、３０）の動作によって、自らの識別情報（識別結果）を各プレーヤーに認識させることができる。その結果、自らの使用するコントローラも特定できるといった構成および効果も実現する。
【０１５８】
このように、使用メガネ識別装置１０（２０、３０）は、ゲーム機に内蔵されたプログラムと協働することにより、プレーヤーの切換え、および当該切換えに伴う表示制御部１２及び同期制御部１３の制御を、観賞者の主体的な操作を介することなく、装置側でのみ実行する態様を実現することができる。
【０１５９】
さらに、使用メガネ識別装置１０（２０、３０）は、ゲーム機に内蔵されたプログラムと協働することにより、次のような態様を実現することもできる。
【０１６０】
すなわち、プレーヤーとは異なる者（以下、「オブザーバー」と称する。）が存在する場合、あるいは、プレーヤーのある操作によって、プレーヤーをオブザーバーに切り換えることができる場合に、当該オブーザーバーに対して総ての映像（映像Ａ〜映像Ｄ）を表示する構成である。
【０１６１】
〔プレーヤーとは異なるオブザーバーが参加する場合〕
本構成は、オブザーバーの装着するシャッターメガネをシャッターメガネ４００Ｃとしたときに、シャッターメガネ４００Ｃを用いて観賞するオブザーバー映像として、例えば３Ｄ映像の場合、映像Ｅ、映像Ｆ（２Ｄの場合、映像Ｅ）がさらに表示装置１００に表示されるというものである。例えば、映像Ａ、Ｂ、Ｃ、Ｄ、Ｅ、Ｆ、Ａ、Ｂ・・・の順番で各映像が表示装置１００に表示される。と同時に、シャッターメガネ４００Ａ、Ｂ、Ｃの同期タイミングも各映像に対応するものとする。つまり、映像Ｅ、映像Ｆが表示されるときには、シャッターメガネ４００Ａおよび４００Ｂは、いずれも右目用シャッターおよび左目用シャッターが閉であり、プレーヤー１およびプレーヤー２は、映像Ｅ、映像Ｆを観賞することができない。
【０１６２】
逆に、オブザーバーは、映像Ａ、Ｂ、Ｃ、Ｄが表示されるときには、シャッターメガネ４００Ｃの右目用シャッターおよび左目用シャッターはいずれもシャッター閉となり、映像Ａ、Ｂ、Ｃ、Ｄを観賞することができない。しかしながら、オブザーバーは、映像Ｅが表示されるときにはシャッターメガネ４００Ｃの右目用シャッター開となり、映像Ｆが表示されるときには、シャッターメガネ４００Ｃの左目用シャッターの開動作により、映像Ｅ、映像Ｆをそれぞれ右目、左目で観賞することができる。
【０１６３】
なお、オブザーバーが観賞可能な映像Ｅ、映像Ｆは、例えば映像Ａ、Ｂ、Ｃ、Ｄをそれぞれ縮小した二画面の３Ｄ映像を一画面として観賞するように加工したものであってもよく、あるいは、プレーヤー１およびプレーヤー２の操作するキャラクターを別視点から観察する全く別の映像であってもよく、その内容は特に限定されない。
【０１６４】
〔プレーヤーがオブザーバーに切り換わる場合〕
本構成は、例えばプレーヤー１がオブザーバーに切り換わることにより、プレーヤー１が観賞可能であった映像が、映像Ａ、映像Ｂから映像Ｅ、映像Ｆのようなオブザーバー用の映像に変更されるという構成であって、上記〔プレーヤーとは異なるオブザーバーが参加する場合〕で説明した単なるオブザーバー参加だけではなく、プレーヤーからオブザーバーへの切り換えといった複雑な動作をも含む構成である。
【０１６５】
この構成は、ゲーム機に内蔵されたプログラムと使用メガネ識別装置１０（２０、３０）とが協働して動作することにより実現される。また、プレーヤーからオブザーバーに切り換わった後の映像Ａ、映像Ｂから映像Ｅ、映像Ｆへの映像の切換えは、表示制御部１２の動作によって実現される。また、映像Ｅ、映像Ｆの映像表示タイミングとシャッターメガネ４００の右目用シャッターおよび左目用シャッターの開閉動作の同期制御は、同期制御部１３の動作によって実現される。したがって、これらの詳細説明は省略する。
【０１６６】
以上のように、使用メガネ識別装置１０（２０、３０）は、ゲーム機に内蔵されたプログラムと協働することにより、プレーヤーの切換え、および当該切換えに伴う表示制御部１２及び同期制御部１３の制御を、観賞者の主体的な操作を介することなく、装置側でのみ実行する態様を実現することができる。
【０１６７】
また、ゲーム機に内蔵されたプログラムと使用メガネ識別装置１０（２０、３０）とが協働して動作することにより、プレーヤーの切換えのほか、たとえばプレーヤーの何らかの操作によって、映像が反転する、突然他のプレーヤーの操作するキャラクターの体を乗っ取り、そのキャラクターの視線を通した映像に切り換わる、といった種々の複雑な表示態様をも実現することができる。
【０１６８】
〔シャッターメガネ４００について〕
次に、シャッターメガネ４００のさらなる構成を図１４により説明する。図１４は、シャッターメガネ４００のさらなる構成を説明するための概略図である。
【０１６９】
図示するように、シャッターメガネは、さらに、スピーカ４１０と報知部(報知手段)４２０とを備える。
【０１７０】
スピーカ４１０は、音声を出力するためのものである。使用メガネ識別装置３０が、表示装置１００に表示される映像に付随した音声に対応する音声データを、特定のシャッターメガネ４００が有するスピーカに出力する音声制御部１４を備えているときに、音声制御部１４は、表示装置１００に表示される映像に付随した音声に対応する音声データを、特定のシャッターメガネ４００に対して出力する。その結果、当該特定のシャッターメガネ４００から上記音声が出力される。
【０１７１】
なお、音声制御部１４は、複数の観賞者がそれぞれ異なる映像を観賞しているときには、観賞者ごとに、その観賞者が使用するシャッターメガネ４００に対応する映像に付随した音声をスピーカ４１０を通して聴かせるよう制御することもできる。
【０１７２】
同図では、スピーカ４１０は観賞者の左右の耳を覆う形状であり、左右のスピーカ４１０は、円弧状の接続部によって接続している。そして、観賞者がシャッターメガネ４００を装着したときには、その接続部が観賞者の頭頂部付近に接し、それによりスピーカ４１０の重みを支える構造となっている。ただし、同図に記載されたスピーカ４１０の形状・構造は、あくまで一例であって、これに限られるものではない。
【０１７３】
報知部４２０は、識別情報取得部１５から識別情報に関連付けられた識別結果を取得して、その識別結果を報知する。このとき、報知部４２０は、上記識別結果を、識別情報取得部１５から取得してもよいし、通信部１８を介して取得してもよい。
【０１７４】
あるいは、報知部４２０は、表示制御部１２から観賞可能な映像の種類に関する映像種類情報を取得して、その映像種類情報に応じた映像の種類を報知する。このとき、報知部４２０は、上記映像種類情報を、表示制御部１２から取得してもよいし、通信部１８を介して取得してもよい。
【０１７５】
同図では、報知部４２０は、シャッターメガネ４００の側面フレームに設けられており、４つの領域に区分けされている。その４つの領域は、個別に点灯、点滅等する構成としてよく、その点灯（点滅）する位置によって、あるいは、点灯あるいは点滅の種類、その色（白、赤、青、緑等）によって、特定のシャッターメガネ４００を識別するための識別情報としうる。
【０１７６】
また、上記４つの領域は、その点灯（点滅）する位置によって、映像の種類に関する映像種類情報を示す設定とすることができる。これにより、例えば、最右側の領域が点灯したときには、当該シャッターメガネ４００により映画を観賞することができ、最左側の領域が点灯したときには、当該シャッターメガネ４００によりニュースを観賞することができる、といった映像種類情報とすることができる。
【０１７７】
これにより、次のような効果を奏することもできる。
【０１７８】
すなわち、シャッターメガネ４００に対して識別番号またはラベル等を直接付した場合、使用を繰り返すことにより、識別番号等が消えてしまう。また、観賞者のシャッターメガネ装着中に、シャッターメガネに付された識別番号またはラベル等を確認することができず、確認のためにはメガネを外す必要がある。さらに、同一のシャッターメガネを他装置に使用した場合には、装置側から見た認識番号（識別名称）が変わる場合もあるため、改めて装置側でのメガネ識別状態を観賞者が認識し直す必要がある。そのため、識別番号等を付していると、装置によって認識番号等に変更が生じた場合にかえって混乱を招く。
【０１７９】
これに対して、シャッターメガネ４００が報知部４２０を備えることにより、シャッターメガネ４００に対して識別番号またはラベル等を付す作業が必要なくなる。また使用することによって、識別番号が消えることもない。
【０１８０】
さらに、シャッターメガネ４００の装着前は、観賞者に表示装置１００を確認させることなく、報知部４２０により識別結果を直接的に観賞者に知らせることができる。また、シャッターメガネ４００を装着した後は、表示装置１００の表示により、識別結果を観賞者に認識させることができる。それゆえ、装着前後の二段階で、識別結果を観賞者に認識させることができる。したがって、識別結果を認識するうえで、シャッターメガネをかけ直す必要はない。
【０１８１】
また、本実施形態では、同一のシャッターメガネ４００を他の使用メガネ識別装置に使用した場合においても、使用メガネ識別装置ごとに識別番号が認識されるため、混乱を招くこともない。
【０１８２】
このように、シャッターメガネ４００は、種々の効果を奏することができる。
【０１８３】
ここで、同図に記載された報知部４２０の形状・構造は、あくまで一例であって、例えば液晶シャッターの液晶表示部を報知部４２０とする、あるいは報知部４２０として液晶表示して文字を表示するなど、種々の形状・構造によって実現することができる。また、図示していないが、シャッターメガネ４００は、表示装置１００、使用メガネ識別装置１０（２０、３０）との間で無線接続または有線接続されることが好ましく、この場合には、無線接続または有線接続するための処理回路等を備える。ただし、そのような処理回路等は、従来の回路を用いることができるため、ここでの詳細説明は省略する。
【０１８４】
さらに、報知部４２０は、上記構成に限られず、次のような方法で実現されてもよい。具体的には、報知部４２０は、番号、文字、色、形、記号、名前等の視認可能で、かつ、変更可能な構成を有する形態で実現されてもよい。例えば、シャッターメガネ４００を他の使用メガネ識別装置において使用し、使用メガネ識別装置ごとに識別番号が付与される場合を考える。このとき、報知部４２０が上記形態で実現されておれば、観賞者が表示装置４００に表示された識別結果を認識し、その認識に応じて、報知部４２０の番号、文字等の構成を変更すればよい、これにより、観賞者は、次にシャッターメガネ４００を装着するときには、報知部４２０の変更された構成を視認することにより、使用メガネ識別装置ごとに付与される識別情報（識別結果）を正しく、また迅速に認識することができる。
【０１８５】
このように、報知部４２０は種々の形態で実現することができる。
〔効果〕
以下、使用メガネ識別装置１０（２０、３０）等によって得られる効果を説明する。
【０１８６】
使用メガネ識別装置１０（２０、３０）は、表示装置１００に表示された映像を観賞するシャッターメガネ４００を識別する使用メガネ識別装置１０（２０、３０）であって、
特定のシャッターメガネ４００を識別するための識別情報を取得する識別情報取得部１５と、識別情報取得部１５が取得した識別情報に関連付けられた識別結果を表示装置１００に表示させる表示制御部１２と、を備えていることを特徴としている。
【０１８７】
また、映像観賞システム１（２、３）は、表示装置１００と、その表示装置１００に表示された映像を観賞するシャッターメガネ４００とを含む映像観賞システム１（２、３）であって、特定のシャッターメガネ４００を識別するための識別情報を取得する識別情報取得部１５と、識別情報取得部１５が取得した識別情報に関連付けられた識別結果を表示装置１００に表示させる表示制御部１２と、を備えた使用メガネ識別装置１０（２０、３０）を含むことを特徴としている。
【０１８８】
また、シャッターメガネ４００は、表示装置１００と、その表示装置１００に表示された映像を観賞するシャッターメガネ４００とを含む映像観賞システム１（２、３）であって、特定のシャッターメガネ４００を識別するための識別情報を取得する識別情報取得部１５と、識別情報取得部１５が取得した識別情報に関連付けられた、観賞者が特定のシャッターメガネ４００を使用していることを示す識別結果を表示装置１００に表示させる表示制御部１２と、を備えた使用メガネ識別装置１０（２０、３０）を含む映像観賞システム１（２、３）に用いられることを特徴としている。
【０１８９】
近年、２Ｄ映像に加え、３Ｄ映像の観賞方法等に関する研究・開発が進められている。その一例として、複数の観賞者が観賞用メガネをそれぞれ装着し、各々が観賞したい映像を１つの表示装置で観賞する、といった観賞方法などが想定される。
【０１９０】
しかしながら、観賞したい映像と観賞したくない映像とが１つの表示装置において交互に表示され、映像に同期した観賞用メガネの動作によって所望の画像のみを選択して観賞するときに、観賞者は、自身が装着した映像観賞用メガネが何れの映像に対応するものであるか知ることができない。そのため、ある映像観賞用メガネを装着した結果、自身が希望する映像を観賞できないこともある。また、自身がどの映像観賞用メガネを装着しているか確認できないと、特定の映像観賞用メガネを識別したうえで、その映像観賞用メガネに対応する映像の設定を変更する、といった発展的な観賞方法も実現しえない。
【０１９１】
そこで、観賞方法を実現する前提として、そもそも、自身の装着する観賞用メガネを識別する識別結果を観賞者に認識させる必要がある。
【０１９２】
この点、本願発明では、識別情報取得部１５が、特定のシャッターメガネ４００を識別するための識別情報（例えば、「メガネ１」という情報）を取得する。そして、表示制御部１２が、「メガネ１」という識別情報に関連付けられた識別結果（例えば、「あなたはメガネ１を使用しています」という情報）を表示装置１００に表示させる。これにより、観賞者は、表示装置１００に表示された識別結果を確認し、自身が装着するメガネが特定のシャッターメガネ４００（メガネ１）であることを認識することができる。
【０１９３】
このようにして、観賞者は、自身が装着している特定のシャッターメガネ４００を識別することができるため、特定のシャッターメガネ４００を識別したうえで、そのシャッターメガネ４００に対応する映像の設定を変更する、といった発展的な観賞方法を実現することもできる。例を挙げれば、シャッターメガネ側のシャッター開閉タイミングが固定であり、その開状態に合うタイミングで、観賞したい映像を表示装置１００に表示するようにしても構わないし、あるいはその逆に、表示装置１００が順次表示している映像の中から観賞者が観賞したい映像（画像）表示のみを選択して観賞するようにシャッターメガネ側のシャッター開タイミングを合わせるようにしても構わない。
【０１９４】
なお、表示装置１００と、その表示装置１００に表示された映像を観賞するシャッターメガネ４００と、使用メガネ識別装置１０（２０、３０）を含む映像観賞システム１（２、３）も本発明の範疇に入る。さらに、そのような映像観賞システム１（２、３）に用いられるシャッターメガネ４００も本発明の範疇に入る。
【０１９５】
また、使用メガネ識別装置１０（２０、３０）では、識別情報取得部１５は、シャッターメガネ４００との間で識別情報の通信が可能であってよい。
【０１９６】
上記構成とすることにより、識別情報取得部１５は、識別情報を容易に取得することができる。すなわち、識別情報取得部１５は、シャッターメガネ４００との間で識別情報の通信が可能であるため、識別情報を取得する際に、キーボード等の操作部３００を介して観賞者に識別情報を入力させる必要がなくなる。したがって、識別情報取得部１５は、識別情報を迅速かつ確実に取得することができる。
【０１９７】
なお、使用メガネ識別装置１０（２０、３０）とシャッターメガネ４００との間の通信は、無線通信および有線通信の何れであってもよい。ただし、有線接続の場合には、観賞場所の制約や移動の制限が生じるため、そのような制約・制限が生じない赤外線通信、ブルートゥース等の無線接続とすることが好ましい。
【０１９８】
また、使用メガネ識別装置１０（２０、３０）では、観賞者によって操作部３００を介して入力される命令であって、表示装置１００に表示される映像の設定を変更する命令を受け付ける命令受付部１７を備え、命令受付部１７は、変更された設定に関する設定情報を表示制御部１２に出力し、表示制御部１２は、設定情報に応じた映像を表示装置１００に表示させる構成であってよい。
【０１９９】
上記構成によれば、命令受付部１７は、映像の設定を変更する旨の命令を受け付け、さらに、変更された設定に関する設定情報を表示制御部１２に出力する。そして、表示制御部１２は、設定情報に応じた映像を表示装置１００に表示させる。
【０２００】
したがって、設定情報に応じた映像が表示装置１００に表示されるため、観賞者は、自身が装着している特定のシャッターメガネ４００を識別したうえで、その特定のシャッターメガネ４００に対応する映像の設定を主体的に変更する、という発展的な観賞方法を実現することができる。
【０２０１】
なお、映像の設定（あるいは、設定の変更）とは、たとえば観賞する映像の設定（映像１から映像２への変更）、映像の画質の設定（明画面から暗画面への変更）など、映像に関する設定全般を対象とすることができる。また、表示装置１００への映像の設定画面の表示、その設定画面への入力そのものは、従来の方法でなされてよい。
【０２０２】
また、表示装置１００に表示された映像を観賞するシャッターメガネ４００を識別する使用メガネ識別装置１０（２０、３０）であって、特定のシャッターメガネ４００を識別するための識別情報を取得する識別情報取得部１５と、識別情報取得部１５が取得した上記識別情報に関連付けられた識別結果を表示装置１００に表示させる表示制御部１２とを備える使用メガネ識別装置１０（２０、３０）に用いられる使用メガネ識別プログラムであって、観賞者によって操作部３００を介して入力される命令であって、表示装置１００に表示される映像の設定を変更する命令を受け付ける命令受付ステップと、変更された設定に関する設定情報を表示制御部１２に出力させる出力ステップと、表示制御部１２に、設定情報に応じた映像を表示装置１００に表示させる表示ステップと、をコンピュータに実行させるための使用メガネ識別プログラムも本発明の範疇に入る。
【０２０３】
また、使用メガネ識別装置１０（２０、３０）では、シャッターメガネ４００が、表示装置１００に表示される映像を観賞者に対して表示・非表示の状態に変更することが可能な右目用シャッターおよび左目用シャッターを有するときに、右目用シャッターあるいは左目用シャッターの少なくとも何れか一方が開となるシャッター開タイミングと、表示制御部１２が識別結果を表示装置１００に表示させる識別結果表示タイミングとを同期させる同期制御部１３を備える構成であってよい。
【０２０４】
上記構成によれば、シャッターメガネ４００は、表示装置１００に表示される映像を観賞者に対して表示・非表示の状態に変更することが可能な右目用シャッターおよび左目用シャッターを有する。
【０２０５】
そして、使用メガネ識別装置１０（２０、３０）は同期制御部１３を備え、その同期制御部１３は、シャッター開タイミングと識別結果表示タイミングとを同期させる。
【０２０６】
これにより、右目用シャッターあるいは左目用シャッターの少なくとも何れか一方が開となるタイミングで識別結果が表示装置１００に表示されるため、観賞者は、識別結果を確実に認識することができる。
【０２０７】
それゆえ、使用メガネ識別装置１０（２０、３０）は、シャッターメガネ４００が右目用シャッターおよび左目用シャッターを有するタイプのメガネである場合にも、同期制御部１３を備えることにより、識別結果を観賞者に確実に認識させることができる。
【０２０８】
なお、シャッターメガネ４００の一例として液晶シャッターが挙げられる。
【０２０９】
また、使用メガネ識別装置１０（２０、３０）では、観賞者によって操作部３００を介して入力される命令であって、表示装置１００に表示される映像の設定を変更する命令を受け付ける命令受付部１７を備え、命令受付部１７は、変更された設定に関する設定情報を同期制御部１３に出力し、同期制御部１３は、設定情報に応じて、表示装置１００における映像の表示と、右目用シャッターおよび左目用シャッターの開閉動作とを同期させる構成であってよい。
【０２１０】
上記構成によれば、命令受付部１７は、映像の設定を変更する旨の命令を受け付け、さらに、変更された設定に関する設定情報を表示制御部１２に出力する。そして、表示制御部１２は、設定情報に応じた映像を表示装置１００に表示させる。さらに、使用メガネ識別装置１０（２０、３０）は同期制御部１３を備え、その同期制御部１３は、変更された映像の設定に関する設定情報に応じて、表示装置１００における映像の表示と、右目用シャッターおよび左目用シャッターの開閉動作とを同期させる。
【０２１１】
したがって、使用メガネ識別装置１０（２０、３０）は、シャッターメガネ４００が右目用シャッターおよび左目用シャッターを有するタイプである場合にも、そのシャッターの開閉動作に同期した、観賞者によって変更された設定に関する設定情報に応じた映像が表示装置１００に表示されるため、観賞者は、自身が装着している特定のシャッターメガネ４００を識別したうえで、その特定のシャッターメガネ４００に対応する映像の設定を主体的に変更する、という発展的な観賞方法を実現することができる。
【０２１２】
また、使用メガネ識別装置１０（２０、３０）では、表示装置１００に表示される映像が、３次元表示に用いることが可能な右目用映像および左目用映像であり、同期制御部１３は、表示装置１００における右目用映像の表示と右目用シャッターの開動作および左目用シャッターの閉動作とを同期させ、かつ、表示装置１００における左目用映像の表示と右目用シャッターの閉動作および左目用シャッターの開動作とを同期させる構成であってよい。
【０２１３】
上記構成によれば、表示装置１００には、３次元表示に用いることが可能な右目用映像および左目用映像が表示される。
【０２１４】
このとき、同期制御部１３は、右目用映像が表示装置１００に表示されるときには、右目用シャッターを開に、左目用シャッターを閉に動作させ、かつ、左目用映像が表示装置１００に表示されるときには、右目用シャッターを閉に、左目用シャッターを開に動作させる。
【０２１５】
したがって、表示装置１００に表示される映像が３次元表示に用いることが可能な右目用映像および左目用映像であっても、使用メガネ識別装置１０（２０、３０）は、同期制御部１３を備えることにより、右目用シャッターおよび左目用シャッターを有するシャッターメガネ４００を用いる観賞者に対して、３次元表示に係る映像を観賞させることができる。しかも、このとき、観賞者は、自身が装着している特定のシャッターメガネ４００を識別する識別結果を表示装置１００における表示から確認することもできる。
【０２１６】
それゆえ、使用メガネ識別装置１０（２０、３０）は、表示装置１００に表示される映像が３次元表示に用いることが可能な右目用映像および左目用映像であっても、３次元用映像とともに、上記識別結果を観賞者に対して表示させることができる。
【０２１７】
また、使用メガネ識別装置１０（２０、３０）では、識別情報取得部１５が複数の識別情報を取得したときに、表示制御部１２は、複数の識別情報に関連付けられたそれぞれの識別結果を、各々の識別情報に対応する特定のシャッターメガネ４００によって観賞される映像とともに表示装置１００に表示させる構成であってよい。
【０２１８】
上記構成によれば、たとえ複数の観賞者がそれぞれシャッターメガネ４００を装着しているときでも、表示制御部１２によって、複数の識別情報に関連付けられたそれぞれの識別結果が、各々の識別情報に対応する特定のシャッターメガネ４００によって観賞される映像とともに表示装置１００に表示される。
【０２１９】
したがって、複数の観賞者はそれぞれ、自身が装着している特定のシャッターメガネ４００を識別することができ、それにより、特定のシャッターメガネ４００を識別したうえで映像の設定を変更する、といった発展的な観賞方法を実現することも可能となる。
【０２２０】
また、使用メガネ識別装置１０（２０、３０）では、識別情報取得部１５が複数の識別情報を取得したときに、同期制御部１３は、複数の識別情報に対応する特定のシャッターメガネ４００それぞれについて、シャッター開タイミングと識別結果表示タイミングとを同期させる構成であってよい。
【０２２１】
複数の観賞者がそれぞれシャッターメガネ４００を装着しているときにおいても、識別情報取得部１５は、それぞれのシャッターメガネ４００に対応する複数の識別情報を取得することができる。そのとき、同期制御部１３は、複数の識別情報に対応する特定のシャッターメガネ４００それぞれについて、右目用シャッターあるいは左目用シャッターの少なくとも何れか一方が開となるシャッター開タイミングと、表示制御部１２が識別結果を表示装置１００に表示させる識別結果表示タイミングとを同期させる。
【０２２２】
これにより、右目用シャッターあるいは左目用シャッターの少なくとも何れか一方が開となるタイミングで識別結果が表示装置１００に表示されるため、複数の観賞者はそれぞれ、識別結果を確実に認識することができる。
【０２２３】
また、使用メガネ識別装置１０（２０、３０）では、観賞者が特定のシャッターメガネ４００を使用することを示す使用情報を取得するメガネ使用情報取得部１６を備え、表示制御部１２は、メガネ使用情報取得部１６が取得した使用情報が入力されたことをトリガとして、シャッターメガネ４００によって観賞される映像を表示装置１００に表示させる構成であってよい。
【０２２４】
上記構成によれば、メガネ使用情報取得部１６が取得した使用情報が入力されたことをトリガとして、特定のシャッターメガネ４００によって観賞される映像が表示装置１００に表示されるため、上記映像を表示装置１００に常時表示しておく必要がない。
【０２２５】
したがって、不要な映像表示を抑制し、各特定のシャッターメガネ４００の映像品質を高められるという効果が得られる。より具体的に説明すると、特定のシャッターメガネ４００が４つ使用されており、各々の特定のシャッターメガネ４００に対応する映像が４種類あるとする。このとき、本来であれば、表示装置１００には各特定のシャッターメガネ４００に対応する４つの映像を時分割して表示しなければならない。しかしながら、２つの特定のシャッターメガネ４００不使用状態にあるときには、上記構成とすることにより、２つの映像のみが時分割して表示装置１００に表示されることになる。つまり、表示装置１００に時分割して表示される映像が４つから２つになることにより、観賞者は２倍の時間映像を観賞でき、それゆえ映像の明るさ、滑らかさ等の映像品質が向上するという効果を実現することができる。上記のように時分割数が変化すると、観賞者の観賞する映像の体感明るさ（映像観賞用メガネを介して観賞した明るさ）が変化する。観賞者が観賞環境上一定の体感明るさを所望する場合には、表示映像の輝度を変化させればよい。その場合でも、時分割数が減ることで観賞者は滑らかさが向上した映像を観賞することができる。
【０２２６】
なお、メガネ使用情報取得部１６は、使用情報を、シャッターメガネ４００との間の有線通信または無線通信によって取得すればよい。あるいは、メガネ使用情報取得部１６は、使用情報を、操作部３００を介した観賞者の入力操作によって取得してもよい。また、シャッターメガネ４００は、たとえば電源ＯＮのスイッチなどを備え、そのスイッチがＯＮとなることにより、メガネ使用情報取得部１６に対して使用情報を入力する構成としてもよく、使用情報の生成方法は、特に限定されない。
【０２２７】
また、使用メガネ識別装置１０（２０、３０）では、シャッターメガネ４００は、音声を出力するためのスピーカを有し、表示装置１００に表示される映像に付随した音声に対応する音声データを、特定のシャッターメガネ４００が有するスピーカに出力する音声制御部１４を備える構成であってよい。
【０２２８】
上記構成によれば、シャッターメガネ４００は、音声を出力するためのスピーカを有する。そして、使用メガネ識別装置１０（２０、３０）は音声制御部１４を備え、その音声制御部１４は、表示装置１００に表示される映像に付随した音声に対応する音声データを、特定のシャッターメガネ４００が有するスピーカに出力する。
【０２２９】
したがって、使用メガネ識別装置１０（２０、３０）は、複数の観賞者がそれぞれ異なる映像を観賞しているときでも、観賞者ごとに、その観賞者が使用するシャッターメガネ４００に対応する映像に付随した音声を聴かせることができ、よりユーザフレンドリーな観賞環境を観賞者に提供することができる。
【０２３０】
さらに、表示装置１００は、何れかの使用メガネ識別装置１０（２０、３０）を備える構成であってよい。
【０２３１】
上記構成によれば、使用メガネ識別装置１０（２０、３０）が表示装置１００に組み込まれるため、一体型の取り扱い容易な表示装置１００を実現することができ、観賞者にとって利便性が高まるという効果を奏する。
【０２３２】
また、シャッターメガネ４００では、使用メガネ識別装置から識別情報に関連付けられた識別結果を取得して、その識別結果を報知する報知部を備える構成であってもよい。
【０２３３】
また、シャッターメガネ４００では、表示制御部１２から観賞可能な映像の種類に関する映像種類情報を取得して、その映像種類情報に応じた映像の種類を報知する報知部を備える構成であってもよい。
【０２３４】
上記構成とすることにより、シャッターメガネ４００の報知部には、識別結果または映像の種類が報知される。
【０２３５】
したがって、観賞者は、報知部を確認することにより、利用するシャッターメガネ４００を識別することができる、あるいは、そのシャッターメガネ４００で観賞可能な映像の種類を確認することができる。
【０２３６】
それゆえ、シャッターメガネ４００の装着前は、表示装置１００を確認させることなく、報知部により識別結果を直接的に観賞者に知らせることができる。また、シャッターメガネ４００を装着した後は、表示装置１００の表示により、識別結果を観賞者に認識させることができる。それゆえ、シャッターメガネ４００は、装着前後の二段階で、識別結果を観賞者に認識させることができる。
【０２３７】
また、シャッターメガネ４００は、シャッターメガネ４００を装着する前に報知部を観賞者に確認させることができるため、観賞者は、表示装置１００の表示を確認することなく、当該シャッターメガネ４００によって観賞可能な映像の種類を知ることができる。これにより、よりユーザーフレンドリーなシャッターメガネ４００を観賞者に提供することができる。
【０２３８】
なお、使用メガネ識別装置１０（２０、３０）は、コンピュータによって実現してもよく、この場合には、コンピュータを各手段として動作させることにより使用メガネ識別装置１０（２０、３０）をコンピュータにて実現させる使用メガネ識別プログラム、およびそれを記録したコンピュータ読み取り可能な記録媒体も、本発明の範疇に入る。
【０２３９】
〔補足〕
最後に、使用メガネ識別装置１０（２０、３０）の各ブロック、特に使用メガネ識別装置１０（２０、３０）の制御部１１（表示制御部１２、同期制御部１３、音声制御部１４）、識別情報取得部１５、メガネ使用情報取得部１６、命令受付部１７（通信部１８、設定変更部１９）は、ハードウェアロジックによって構成してもよいし、次のようにＣＰＵを用いてソフトウェアによって実現してもよい。
【０２４０】
すなわち、使用メガネ識別装置１０（２０、３０）は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである使用メガネ識別装置１０（２０、３０）の制御プログラムのプログラムコード（実行形式プログラム、中間コードプログラム、ソースプログラム）をコンピュータで読み取り可能に記録した記録媒体を、前記使用メガネ識別装置１０（２０、３０）に供給し、そのコンピュータ（又はＣＰＵやＭＰＵ）が記録媒体に記録されているプログラムコードを読み出し実行することによっても、達成可能である。
【０２４１】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ／ブルーレイディスク等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などを用いることができる。
【０２４２】
また、使用メガネ識別装置１０（２０、３０）を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０２４３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２４４】
本発明に係る使用メガネ識別装置は、上記の課題を解決するために、
表示装置に表示された映像を観賞する映像観賞用メガネを識別する使用メガネ識別装置であって、
特定の映像観賞用メガネを識別するための識別情報を取得する識別情報取得手段と、
上記識別情報取得手段が取得した上記識別情報に関連付けられた識別結果を上記表示装置に表示させる表示制御手段と、を備えていてもよい。
【０２４５】
また、本発明に係る映像観賞システムは、上記の課題を解決するために、
表示装置と、その表示装置に表示された映像を観賞する映像観賞用メガネとを含む映像観賞システムであって、
特定の映像観賞用メガネを識別するための識別情報を取得する識別情報取得手段と、
上記識別情報取得手段が取得した上記識別情報に関連付けられた識別結果を上記表示装置に表示させる表示制御手段と、を備えた使用メガネ識別装置を含んでいてもよい。
【０２４６】
また、本発明に係る映像観賞用メガネは、上記の課題を解決するために、
表示装置と、その表示装置に表示された映像を観賞する映像観賞用メガネとを含む映像観賞システムであって、特定の映像観賞用メガネを識別するための識別情報を取得する識別情報取得手段と、上記識別情報取得手段が取得した上記識別情報に関連付けられた、上記観賞者が上記特定の映像観賞用メガネを使用していることを示す識別結果を上記表示装置に表示させる表示制御手段と、を備えた使用メガネ識別装置を含む映像観賞システムに用いられてもよい。
【０２４７】
近年、２Ｄ映像に加え、３Ｄ映像の観賞方法等に関する研究・開発が進められている。その一例として、複数の観賞者が観賞用メガネをそれぞれ装着し、各々が観賞したい映像を１つの表示装置で観賞する、といった観賞方法などが想定される。
【０２４８】
しかしながら、観賞したい映像と観賞したくない映像とが１つの表示装置において交互に表示され、映像に同期した観賞用メガネの動作によって所望の画像のみを選択して観賞するときに、観賞者は、自身が装着した観賞用メガネが何れの映像に対応するものであるか知ることができない。そのため、ある観賞用メガネを装着した結果、自身が希望する映像を観賞できないこともある。また、自身がどの観賞用メガネを装着しているか認識できないと、特定の映像観賞用メガネを識別したうえで、その映像観賞用メガネに対応する映像の設定を変更する、といった発展的な観賞方法も実現しえない。
【０２４９】
そこで、上記観賞方法を実現する前提として、そもそも、自身の装着する観賞用メガネを識別する識別結果を観賞者に認識させる必要がある。この点、本願発明では、識別情報取得手段が、特定の映像観賞用メガネを識別するための識別情報（例えば、「メガネ１」という情報）を取得する。そして、表示制御手段が、「メガネ１」という識別情報に関連付けられた識別結果（例えば、「あなたはメガネ１を使用しています」という情報）を表示装置に表示させる。これにより、観賞者は、表示装置に表示された識別結果を認識し、自身が装着するメガネが特定の映像観賞用メガネ（メガネ１）であることを確認することができる。
【０２５０】
このようにして、観賞者は、自身が装着している特定の映像観賞用メガネを識別することができるため、特定の映像観賞用メガネを識別したうえで、その映像観賞用メガネに対応する映像の設定を変更する、といった発展的な観賞方法を実現することもできる。
【０２５１】
なお、表示装置と、その表示装置に表示された映像を観賞する映像観賞用メガネと、上記使用メガネ識別装置を含む映像観賞システムも本発明の範疇に入る。さらに、そのような映像観賞システムに用いられる映像観賞用メガネも本発明の範疇に入る。
【０２５２】
また、本発明に係る使用メガネ識別装置では、
上記識別情報取得手段は、上記映像観賞用メガネとの間で上記識別情報の通信が可能であってよい。
【０２５３】
上記構成とすることにより、上記識別情報取得手段は、上記識別情報を容易に取得することができる。すなわち、上記識別情報取得手段は、上記映像観賞用メガネとの間で上記識別情報の通信が可能であるため、上記識別情報を取得する際に、キーボード等の操作部を介して観賞者に識別情報を入力させる必要がなくなる。したがって、上記識別情報取得手段は、上記識別情報を迅速かつ確実に取得することができる。
【０２５４】
なお、使用メガネ識別装置と上記映像観賞用メガネとの間の通信は、無線通信および有線通信の何れであってもよい。ただし、有線接続の場合には、観賞場所の制約や移動の制限が生じるため、そのような制約・制限が生じない赤外線通信、ブルートゥースなどの無線接続とすることが好ましい。
【０２５５】
また、本発明に係る使用メガネ識別装置では、
上記観賞者によって操作部を介して入力される命令であって、上記表示装置に表示される映像の設定を変更する命令を受け付ける命令受付手段を備え、
上記命令受付手段は、変更された設定に関する設定情報を上記表示制御手段に出力し、上記表示制御手段は、上記設定情報に応じた映像を上記表示装置に表示させる構成であってよい。
【０２５６】
上記構成によれば、命令受付手段は、映像の設定を変更する旨の命令を受け付け、さらに、変更された設定に関する設定情報を上記表示制御手段に出力する。そして、上記表示制御手段は、上記設定情報に応じた映像を表示装置に表示させる。
【０２５７】
したがって、上記設定情報に応じた映像が表示装置に表示されるため、観賞者は、自身が装着している特定の映像観賞用メガネを識別したうえで、その特定の映像観賞用メガネに対応する映像の設定を主体的に変更する、という発展的な観賞方法を実現することができる。
【０２５８】
なお、映像の設定（あるいは、設定の変更）とは、たとえば観賞する映像の設定（映像１から映像２への変更）、映像の画質の設定（明画面から暗画面への変更）など、映像に関する設定全般が対象となりうる。
【０２５９】
また、上記使用メガネ識別装置は、コンピュータによって実現してもよく、この場合には、コンピュータを上記各手段として動作させることにより上記使用メガネ識別装置をコンピュータにて実現させる使用メガネ識別プログラムも本発明の範疇に入る。
【０２６０】
また、本発明に係る使用メガネ識別装置では、
上記映像観賞用メガネが、上記表示装置に表示される映像を観賞者に対して表示・非表示の状態に変更することが可能な右目用シャッターおよび左目用シャッターを有するときに、
上記右目用シャッターあるいは上記左目用シャッターの少なくとも何れか一方が開となるシャッター開タイミングと、上記表示制御手段が上記識別結果を上記表示装置に表示させる識別結果表示タイミングとを同期させる同期制御手段を備える構成であってよい。
【０２６１】
上記構成によれば、上記映像観賞用メガネは、上記表示装置に表示される映像を観賞者に対して表示・非表示の状態に変更することが可能な右目用シャッターおよび左目用シャッターを有する。
【０２６２】
そして、使用メガネ識別装置は同期制御手段を備え、その同期制御手段は、上記シャッター開タイミングと上記識別結果表示タイミングとを同期させる。
【０２６３】
これにより、上記右目用シャッターあるいは上記左目用シャッターの少なくとも何れか一方が開となるタイミングで上記識別結果が上記表示装置に表示されるため、観賞者は、上記識別結果を確実に認識することができる。
【０２６４】
それゆえ、本発明に係る使用メガネ識別装置は、上記映像観賞用メガネが右目用シャッターおよび左目用シャッターを有するタイプのメガネである場合にも、同期制御手段を備えることにより、上記識別結果を観賞者に確実に認識させることができる。
【０２６５】
なお、上記映像観賞用メガネの一例として液晶シャッターが挙げられる。
【０２６６】
また、本発明に係る使用メガネ識別装置では、
上記観賞者によって操作部を介して入力される命令であって、上記表示装置に表示される映像の設定を変更する命令を受け付ける命令受付手段を備え、
上記命令受付手段は、変更された設定に関する設定情報を上記同期制御手段に出力し、上記同期制御手段は、上記設定情報に応じて、上記表示装置における映像の表示と、上記右目用シャッターおよび上記左目用シャッターの開閉動作とを同期させる構成であってよい。
【０２６７】
上記構成によれば、命令受付手段は、映像の設定を変更する旨の命令を受け付け、さらに、変更された設定に関する設定情報を上記表示制御手段に出力する。そして、上記表示制御手段は、上記設定情報に応じた映像を表示装置に表示させる。さらに、本発明に係る使用メガネ識別装置は同期制御手段を備え、その同期制御手段は、変更された映像の設定に関する設定情報に応じて、上記表示装置における映像の表示と、上記右目用シャッターおよび上記左目用シャッターの開閉動作とを同期させる。
【０２６８】
したがって、本発明に係る使用メガネ識別装置は、上記映像観賞用メガネが右目用シャッターおよび左目用シャッターを有するタイプである場合にも、そのシャッターの開閉動作に同期して、観賞者によって変更された設定に関する設定情報に応じた映像が表示装置に表示されるため、観賞者は、自身が装着している特定の映像観賞用メガネを識別したうえで、その特定の映像観賞用メガネに対応する映像の設定を主体的に変更する、という発展的な観賞方法を実現することができる。
【０２６９】
また、本発明に係る使用メガネ識別装置では、
上記表示装置に表示される映像が、３次元表示に用いることが可能な右目用映像および左目用映像であり、
上記同期制御手段は、上記表示装置における上記右目用映像の表示と上記右目用シャッターの開動作および上記左目用シャッターの閉動作とを同期させ、かつ、上記表示装置における上記左目用映像の表示と上記右目用シャッターの閉動作および上記左目用シャッターの開動作とを同期させる構成であってよい。
【０２７０】
上記構成によれば、上記表示装置には、３次元表示に用いることが可能な右目用映像および左目用映像が表示される。
【０２７１】
このとき、上記同期制御手段は、上記右目用映像が上記表示装置に表示されるときには、右目用シャッターを開に、左目用シャッターを閉に動作させ、かつ、上記左目用映像が上記表示装置に表示されるときには、右目用シャッターを閉に、左目用シャッターを開に動作させる。
【０２７２】
したがって、上記表示装置に表示される映像が３次元表示に用いることが可能な右目用映像および左目用映像であっても、本発明に係る使用メガネ識別装置は、上記同期制御手段を備えることにより、右目用シャッターおよび左目用シャッターを有する映像観賞用メガネを用いる観賞者に対して、３次元表示に係る映像を観賞させることができる。しかも、このとき、観賞者は、自身が装着している特定の映像観賞用メガネを識別する識別結果を上記表示装置における表示から認識することもできる。
【０２７３】
それゆえ、本発明に係る使用メガネ識別装置は、上記表示装置に表示される映像が３次元表示に用いることが可能な右目用映像および左目用映像であっても、３次元用映像とともに、上記識別結果を観賞者に対して表示させることができる。
【０２７４】
また、本発明に係る使用メガネ識別装置では、
上記識別情報取得手段が複数の識別情報を取得したときに、
上記表示制御手段は、上記複数の識別情報に関連付けられたそれぞれの識別結果を、各々の識別情報に対応する特定の映像観賞用メガネによって観賞される映像とともに上記表示装置に表示させる構成であってよい。
【０２７５】
上記構成によれば、たとえ複数の観賞者がそれぞれ映像観賞用メガネを装着しているときでも、上記表示制御手段によって、上記複数の識別情報に関連付けられたそれぞれの識別結果が、各々の識別情報に対応する特定の映像観賞用メガネによって観賞される映像とともに上記表示装置に表示される。
【０２７６】
したがって、複数の観賞者はそれぞれ、自身が装着している特定の映像観賞用メガネを識別することができ、それにより、特定の映像観賞用メガネを識別したうえで映像の設定を変更する、といった発展的な観賞方法を実現することも可能となる。
【０２７７】
また、本発明に係る使用メガネ識別装置では、
上記識別情報取得手段が複数の識別情報を取得したときに、
上記同期制御手段は、上記複数の識別情報に対応する上記特定の映像観賞用メガネそれぞれについて、上記シャッター開タイミングと上記識別結果表示タイミングとを同期させる構成であってよい。
【０２７８】
複数の観賞者がそれぞれ映像観賞用メガネを装着しているときにおいても、上記識別情報取得手段は、それぞれの映像観賞用メガネに対応する複数の識別情報を取得することができる。そのとき、上記同期制御手段は、上記複数の識別情報に対応する上記特定の映像観賞用メガネそれぞれについて、上記右目用シャッターあるいは上記左目用シャッターの少なくとも何れか一方が開となるシャッター開タイミングと、上記表示制御手段が上記識別結果を上記表示装置に表示させる識別結果表示タイミングとを同期させる。
【０２７９】
これにより、上記右目用シャッターあるいは上記左目用シャッターの少なくとも何れか一方が開となるタイミングで上記識別結果が上記表示装置に表示されるため、複数の観賞者はそれぞれ、上記識別結果を確実に認識することができる。
【０２８０】
また、本発明に係る使用メガネ識別装置では、
観賞者が上記特定の映像観賞用メガネを使用することを示す使用情報を取得する使用情報取得手段を備え、
上記表示制御手段は、上記使用情報取得手段が取得した上記使用情報が入力されたことをトリガとして、上記特定の映像観賞用メガネによって観賞される映像を上記表示装置に表示させる構成であってよい。
【０２８１】
上記構成によれば、上記使用情報取得手段が取得した上記使用情報が入力されたことをトリガとして、上記特定の映像観賞用メガネによって観賞される映像が上記表示装置に表示されるため、上記映像を表示装置に常時表示しておく必要がない。
【０２８２】
したがって、不要な映像表示を抑制し、各映像観賞用メガネの映像品質を高められるという効果が得られる。より具体的に説明すると、映像観賞用メガネが４つ使用されており、各々の映像観賞用メガネに対応する映像が４種類あるとする。このとき、本来であれば、表示装置には各映像観賞用メガネに対応する４つの映像を時分割して表示しなければならない。しかしながら、２つの映像観賞用メガネが不使用状態にあるときには、上記構成とすることにより、２つの映像のみが時分割して表示装置に表示されることになる。つまり、表示装置に時分割して表示される映像が４つから２つになることにより、観賞者は２倍の時間映像を観賞でき、それゆえ映像の明るさ、滑らかさ等の映像品質が向上するという効果を実現することができる。上記のように時分割数が変化すると、観賞者の観賞する映像の体感明るさ（映像観賞用メガネを介して観賞した明るさ）が変化する。観賞者が観賞環境上一定の体感明るさを所望する場合には、表示映像の輝度を変化させればよい。その場合でも、時分割数が減ることで観賞者は滑らかさが向上した映像を観賞することができる。
【０２８３】
なお、使用情報取得手段は、上記使用情報を、上記映像観賞用メガネとの間の有線通信または無線通信によって取得すればよい。あるいは、使用情報取得手段は、上記使用情報を、操作部を介した観賞者の入力操作によって取得してもよい。また、映像観賞用メガネは、たとえば電源ＯＮのスイッチなどを備え、そのスイッチがＯＮとなることにより、使用情報取得手段に対して上記使用情報を入力する構成としてもよく、使用情報の生成方法は、特に限定されない。
【０２８４】
また、本発明に係る使用メガネ識別装置では、
上記映像観賞用メガネは、音声を出力するための音声出力手段を有し、
上記表示装置に表示される映像に付随した音声に対応する音声データを、上記特定の映像観賞用メガネが有する上記音声出力手段に出力する音声制御手段を備える構成であってよい。
【０２８５】
上記構成によれば、上記映像観賞用メガネは、音声を出力するための音声出力手段を有する。そして、本発明に係る使用メガネ識別装置は音声制御手段を備え、その音声制御手段は、上記表示装置に表示される映像に付随した音声に対応する音声データを、上記特定の映像観賞用メガネが有する上記音声出力手段に出力する。
【０２８６】
したがって、本発明に係る使用メガネ識別装置は、複数の観賞者がそれぞれ異なる映像を観賞しているときでも、観賞者ごとに、その観賞者が使用する映像観賞用メガネに対応する映像に付随した音声を聴かせることができ、よりユーザフレンドリーな観賞環境を観賞者に提供することができる。
【０２８７】
さらに、本発明に係る表示装置は、
上記何れかの使用メガネ識別装置を備える構成であってよい。
【０２８８】
上記構成によれば、使用メガネ識別装置が表示装置に組み込まれるため、一体型の取り扱い容易な表示装置を実現することができ、観賞者にとって利便性が高まるという効果を奏する。
【０２８９】
また、本発明に係る映像観賞用メガネでは、
上記使用メガネ識別装置から上記識別情報に関連付けられた識別結果を取得して、その識別結果を報知する報知手段を備える構成であってもよい。
【０２９０】
また、本発明に係る映像観賞用メガネでは、
上記表示制御手段から観賞可能な映像の種類に関する映像種類情報を取得して、その映像種類情報に応じた映像の種類を報知する報知手段を備える構成であってもよい。
【０２９１】
上記構成とすることにより、上記映像観賞用メガネの上記報知手段には、上記識別結果または上記映像の種類が報知される。
【０２９２】
したがって、観賞者は、報知手段を確認することにより、利用する映像観賞用メガネを識別することができる、あるいは、その映像観賞用メガネで観賞可能な映像の種類を確認することができる。
【０２９３】
それゆえ、映像観賞用メガネの装着前は、表示装置を確認させることなく、上記報知手段により上記識別結果を直接的に観賞者に知らせることができる。また、映像観賞用メガネを装着した後は、表示装置の表示により、識別結果を観賞者に認識させることができる。それゆえ、本発明に係る映像観賞用メガネは、装着前後の二段階で、識別結果を観賞者に認識させることができる。
【０２９４】
また、本発明に係る映像観賞用メガネは、映像観賞用メガネを装着する前に上記報知手段を観賞者に確認させることができるため、観賞者は、表示装置の表示を確認することなく、当該映像観賞用メガネによって観賞可能な映像の種類を知ることができる。これにより、よりユーザーフレンドリーな映像観賞用メガネを観賞者に提供することができる。
【０２９５】
なお、上記使用メガネ識別装置は、コンピュータによって実現してもよく、この場合には、コンピュータを上記各手段として動作させることにより上記使用メガネ識別装置をコンピュータにて実現させる使用メガネ識別プログラム、およびそれを記録したコンピュータ読み取り可能な記録媒体も、本発明の範疇に入る。
【０２９６】
本発明に係る使用メガネ識別装置は、以上のように、
特定の映像観賞用メガネを識別するための識別情報を取得する識別情報取得手段と、
上記識別情報取得手段が取得した上記識別情報に関連付けられた識別結果を上記表示装置に表示させる表示制御手段と、を備える構成である。
【０２９７】
また、本発明に係る映像観賞システムは、
特定の映像観賞用メガネを識別するための識別情報を取得する識別情報取得手段と、
上記識別情報取得手段が取得した上記識別情報に関連付けられた識別結果を上記表示装置に表示させる表示制御手段と、を備えた使用メガネ識別装置を含む構成である。
【０２９８】
また、本発明に係る映像観賞システムは、以上のように、
表示装置と、その表示装置に表示された映像を観賞する映像観賞用メガネとを含む映像観賞システムであって、
特定の映像観賞用メガネを識別するための識別情報を取得する識別情報取得手段と、
上記識別情報取得手段が取得した上記識別情報に関連付けられた識別結果を上記表示装置に表示させる表示制御手段と、を備えた使用メガネ識別装置を含む構成である。
【０２９９】
また、本発明に係る映像観賞用メガネは、以上のように、
表示装置と、その表示装置に表示された映像を観賞する映像観賞用メガネとを含む映像観賞システムであって、特定の映像観賞用メガネを識別するための識別情報を取得する識別情報取得手段と、上記識別情報取得手段が取得した上記識別情報に関連付けられた、上記観賞者が上記特定の映像観賞用メガネを使用していることを示す識別結果を上記表示装置に表示させる表示制御手段と、を備えた使用メガネ識別装置を含む映像観賞システムに用いられる構成である。
【０３００】
それゆえ、表示装置に表示された映像を映像観賞用メガネにより観賞するときに、その映像観賞用メガネを識別するための識別結果を表示装置に表示させることが可能な使用メガネ識別装置等を提供することができるという効果を奏する。
【産業上の利用可能性】
【０３０１】
本発明は、表示装置に表示された映像を映像観賞用メガネにより観賞するときに、その映像観賞用メガネを識別するための識別結果を表示装置に表示させることが可能な使用メガネ識別装置、映像観賞システム、映像観賞用メガネ、使用メガネ識別プログラム、コンピュータ読み取り可能な記録媒体、及び表示装置などに広く適用することができる。
【符号の説明】
【０３０２】
１、２、３  映像観賞システム
１０、２０、３０  使用メガネ識別装置
１１    制御部
１２    表示制御部（表示制御手段）
１３    同期制御部（同期制御手段）
１４    音声制御部（音声制御手段）
１５    識別情報取得部（識別情報取得手段）
１６    メガネ使用情報取得部（使用情報取得手段）
１７    命令受付部（命令受付手段）
１８    通信部
１９    設定変更部
１００  表示装置
２００  記憶部
３００  操作部
４００、４００Ａ、４００Ｂ  シャッターメガネ
４１０  スピーカ
４２０  報知部（報知手段）
５００  記録再生装置
６００  中継器
【図１】
0005562452.tif 000003
【図２】
0005562452.tif 000004
【図３】
0005562452.tif 000005
【図４】
0005562452.tif 000006
【図５】
0005562452.tif 000007
【図６】
0005562452.tif 000008
【図７】
0005562452.tif 000009
【図８】
0005562452.tif 000010
【図９】
0005562452.tif 000011
【図１０】
0005562452.tif 000012
【図１１】
0005562452.tif 000013
【図１２】
0005562452.tif 000014
【図１３】
0005562452.tif 000015
【図１４】
0005562452.tif 000016